(57)【特許請求の範囲】
【請求項１】
蒸気圧縮式冷凍サイクルを行う圧縮式冷凍機（2）と、
吸収式冷凍サイクルを行う吸収式冷凍機（10）と、
上記圧縮式冷凍機（2）及び吸収式冷凍機（10）で発生する冷熱又は温熱を、相変化する冷媒により利用側ユニット（22）へ搬送する利用側回路（20）とを備える冷凍システムであって、
上記利用側回路（20）には、上記圧縮式冷凍機（2）及び吸収式冷凍機（10）の各冷熱発生器（6,13）、又は圧縮式冷凍機（2）及び吸収式冷凍機（10）の各温熱発生器（4,9）がそれぞれ直接に接続され、
上記圧縮式冷凍機（2）及び吸収式冷凍機（10）の各冷熱発生器（6,13）は、上記利用側回路（20）に直列に設けられ、
上記吸収式冷凍機（10）の冷媒の蒸発温度は、０℃以下であり、
吸収式冷凍機（10）の冷熱発生器（13）には、圧縮式冷凍機（2）の冷熱発生器（6）を通過した利用側回路（20）の冷媒が流れるように構成されている
ことを特徴とする冷凍システム。
【請求項２】
蒸気圧縮式冷凍サイクルを行う圧縮式冷凍機（2）と、
吸収式冷凍サイクルを行う吸収式冷凍機（10）と、
上記圧縮式冷凍機（2）及び吸収式冷凍機（10）で発生する冷熱又は温熱を、相変化する冷媒により利用側ユニット（22）へ搬送する利用側回路（20）とを備える冷凍システムであって、
上記利用側回路（20）には、上記圧縮式冷凍機（2）の冷熱発生器（6）又は温熱発生器（4）と、上記吸収式冷凍機（10）の冷熱発生器（13）及び温熱発生器（9）とがそれぞれ直接に接続されると共に、冷房時に冷媒が上記各冷熱発生器（6,13）に流れ、暖房時に冷媒が上記各温熱発生器（4,9）に流れるように冷媒通路を切り換える切換機構（SV4,SV5）が設けられ、
上記圧縮式冷凍機（2）及び吸収式冷凍機（10）の各冷熱発生器（6,13）は、上記利用側回路（20）に直列に設けられ、
上記吸収式冷凍機（10）の冷媒の蒸発温度は、０℃以下であり、
吸収式冷凍機（10）の冷熱発生器（13）には、圧縮式冷凍機（2）の冷熱発生器（6）を通過した利用側回路（20）の冷媒が流れるように構成されている
ことを特徴とする冷凍システム。
【請求項３】
蒸気圧縮式冷凍サイクルを行う圧縮式冷凍機（2）と、
吸収式冷凍サイクルを行う吸収式冷凍機（10）と、
上記圧縮式冷凍機（2）及び吸収式冷凍機（10）で発生する冷熱又は温熱を、相変化する冷媒により利用側ユニット（22）へ搬送する利用側回路（20）とを備える冷凍システムであって、
上記利用側回路（20）には、上記圧縮式冷凍機（2）及び吸収式冷凍機（10）の各冷熱発生器（6,13）、又は圧縮式冷凍機（2）及び吸収式冷凍機（10）の各温熱発生器（4,9）がそれぞれ直接に接続され、
上記利用側回路（20）は、該利用側回路（20）で冷媒を強制循環させるためのポンプ（30）を備え、
上記ポンプ（30）は、吸入したガス冷媒を吐出する冷媒ガスポンプ（30）である
ことを特徴とする冷凍システム。
【請求項４】
蒸気圧縮式冷凍サイクルを行う圧縮式冷凍機（2）と、
吸収式冷凍サイクルを行う吸収式冷凍機（10）と、
上記圧縮式冷凍機（2）及び吸収式冷凍機（10）で発生する冷熱又は温熱を、相変化する冷媒により利用側ユニット（22）へ搬送する利用側回路（20）とを備える冷凍システムであって、
上記利用側回路（20）には、上記圧縮式冷凍機（2）の冷熱発生器（6）又は温熱発生器（4）と、上記吸収式冷凍機（10）の冷熱発生器（13）及び温熱発生器（9）とがそれぞれ直接に接続されると共に、冷房時に冷媒が上記各冷熱発生器（6,13）に流れ、暖房時に冷媒が上記各温熱発生器（4,9）に流れるように冷媒通路を切り換える切換機構（SV4,SV5）が設けられ、
上記利用側回路（20）は、該利用側回路（20）で冷媒を強制循環させるためのポンプ（30）を備え、
上記ポンプ（30）は、吸入したガス冷媒を吐出する冷媒ガスポンプ（30）である
ことを特徴とする冷凍システム。
【請求項５】
請求項１又は２において、
上記圧縮式冷凍機（2）の冷熱発生器（6）は、該圧縮式冷凍機（2）の蒸発器（6）であり、
吸収式冷凍機（10）の冷熱発生器（13）は、該吸収式冷凍機（10）の蒸発器（13）である
ことを特徴とする冷凍システム。
【請求項６】
請求項３又は４において、
上記圧縮式冷凍機（2）及び吸収式冷凍機（10）の各冷熱発生器（6,13）は、利用側回路（20）に直列に設けられている
ことを特徴とする冷凍システム。
【請求項７】
請求項３又は４において、
上記圧縮式冷凍機（2）及び吸収式冷凍機（10）の各温熱発生器（4,9）は、利用側回路（20）に直列に設けられている
ことを特徴とする冷凍システム。
【発明の詳細な説明】
【０００１】
【発明の属する技術分野】
本発明は、圧縮式冷凍機と吸収式冷凍機とを組み合わせて構成される冷凍システムに関する。
【０００２】
【従来の技術】
一般に、ホテルやレストラン等の建物において、必要な電気を発電するための発電機を設ける一方、該発電機の排熱を給湯や室内の空気調和等に利用するようにした熱電併給システム（コージェネレーションシステム）は知られている。そして、従来より、このような熱電併給システムにおいて、蒸気圧縮式冷凍サイクルを行う圧縮式冷凍機と、吸収式冷凍サイクルを行う吸収式冷凍機とを備える冷凍システムを設けることが知られている。
【０００３】
上記冷凍システムでは、例えば、圧縮式冷凍機には、２次側回路である利用側回路を介して複数の利用側ユニットが接続されており、該圧縮式冷凍機によって利用側回路の冷媒を冷却するようにしている。一方、吸収式冷凍機は、発電機の排熱により駆動して例えば冷熱を生成し、該冷熱を利用して、上記利用側回路の冷媒を冷却するようになっている。こうして、上記冷凍システムでは、圧縮式冷凍機と吸収式冷凍機とから発生する冷熱によって利用側回路の冷媒を冷却し、その冷却された冷媒を上記利用側ユニットへ搬送することで室内の冷房等を行うようにしている。
【０００４】
このような冷凍システムとして、従来より、例えば、特開平７−３１８１１５号公報に示されるものが知られている。このシステムでは、第１補助熱交換器及び第２補助熱交換器において、圧縮式冷凍機の冷媒回路の冷媒と、利用側回路の冷媒との間で熱交換を行うようになっている。一方、第３補助熱交換器及び他熱源利用熱交換器において、吸収式冷凍機で生成される冷水又は温水と、利用側回路の冷媒との間で熱交換を行うようにしている。
【０００５】
【発明が解決しようとする課題】
ところで、熱媒体間で熱交換を行うと、その熱交換に伴って熱損失が生じることが避けられない。したがって、吸収式冷凍機で発生した冷熱又は温熱を利用側回路の冷媒へ伝えるときに、熱媒体間での熱交換の回数が多いほど、全体としての熱損失は大きくなってしまう。
【０００６】
しかしながら、上記従来の冷凍システムでは、まず、吸収式冷凍機の冷熱発生器（例えば蒸発器等）や温熱発生器（例えば凝縮器等）において、該吸収式冷凍機の冷媒や吸収溶液と、熱媒体である水との間で熱交換が行われて冷水や温水が生成される。その後、上記冷水や温水と、利用側回路の冷媒との間で熱交換が行われる。つまり、吸収式冷凍機で発生した冷熱又は温熱は、利用側回路の冷媒へ伝えられる際に、合計２回の熱交換が行われる。その結果、熱交換に伴う熱損失が全体として比較的大きくなるという問題がある。
【０００７】
さらに、吸収式冷凍機から伝えられる熱の損失が大きくなる結果として、利用側ユニットの熱交換器を小型化することが難しくなるという問題も生じる。
【０００８】
本発明は斯かる諸点に鑑みてなされたものであり、その主たる目的とするところは、圧縮式冷凍機と吸収式冷凍機とで発生した冷熱又は温熱を、利用側回路を介して利用側ユニットへ搬送する冷凍システムについて、吸収式冷凍機から利用側回路の冷媒への伝熱に伴う熱損失を可及的に低減することにある。
【０００９】
【課題を解決するための手段】
上記の目的を達成するために、請求項１に係る発明は、蒸気圧縮式冷凍サイクルを行う圧縮式冷凍機（2）と、吸収式冷凍サイクルを行う吸収式冷凍機（10）と、上記圧縮式冷凍機（2）及び吸収式冷凍機（10）で発生する冷熱又は温熱を、相変化する冷媒により利用側ユニット（22）へ搬送する利用側回路（20）とを備える冷凍システムが対象である。そして、上記利用側回路（20）には、上記圧縮式冷凍機（2）及び吸収式冷凍機（10）の各冷熱発生器（6,13）、又は圧縮式冷凍機（2）及び吸収式冷凍機（10）の各温熱発生器（4,9）がそれぞれ直接に接続され、上記圧縮式冷凍機（2）及び吸収式冷凍機（10）の各冷熱発生器（6,13）は、上記利用側回路（20）に直列に設けられ、上記吸収式冷凍機（10）の冷媒の蒸発温度は、０℃以下であり、吸収式冷凍機（10）の冷熱発生器（13）には、圧縮式冷凍機（2）の冷熱発生器（6）を通過した利用側回路（20）の冷媒が流れるように構成されている。
【００１０】
上記の発明によると、まず、圧縮式冷凍機（2）及び吸収式冷凍機（10）の各冷熱発生器（6,13）が利用側回路（20）に直接に接続されている場合には、圧縮式冷凍機（2）の冷熱発生器（6）では、該圧縮式冷凍機（2）の冷媒と、利用側回路（20）の冷媒との間で直接に熱交換が行われる。また、吸収式冷凍機（10）の冷熱発生器（13）では、該吸収式冷凍機（10）の冷媒と、利用側回路（20）の冷媒との間で直接に熱交換が行われる。
【００１１】
一方、圧縮式冷凍機（2）及び吸収式冷凍機（10）の各冷熱発生器（6,13）が利用側回路（20）に直接に接続されている場合には、圧縮式冷凍機（2）の温熱発生器（4）では、該圧縮式冷凍機（2）の冷媒と、利用側回路（20）の冷媒との間で直接に熱交換が行われる。また、吸収式冷凍機（10）の温熱発生器（9）では、該吸収式冷凍機（10）の冷媒や吸収溶液と、利用側回路（20）の冷媒との間で直接に熱交換が行われる。
【００１２】
こうして、圧縮式冷凍機（2）及び吸収式冷凍機（10）で発生した冷熱又は温熱は、各冷熱発生器（6,13）又は温熱発生器（4,9）において１回の熱交換により利用側回路（20）の冷媒へ伝えられ、効果的に冷却又は加熱される。冷却又は加熱された利用側回路（20）の冷媒は、利用側ユニット（22）へ搬送されて室内の冷房や暖房等に供される。
【００１３】
また、圧縮式冷凍機（2）と吸収式冷凍機（10）との何れか一方の冷熱発生器（6,13）を流れた冷媒は、その後に他方の冷熱発生器（6,13）を流れることにより冷却される。さらに、吸収式冷凍機（10）の冷媒の蒸発温度が０℃以下の低温であるので、利用側回路（20）の冷媒は、まず、圧縮式冷凍機（2）の冷熱発生器（6）で予め冷却される。その後、上記冷媒は、吸収式冷凍機（10）の冷熱発生器（13）でさらに低温に冷却される。このとき、圧縮式冷凍機（2）の冷媒の蒸発圧力が比較的大きくなり、システム全体の効率が向上する。
【００１４】
請求項２に係る発明は、蒸気圧縮式冷凍サイクルを行う圧縮式冷凍機（2）と、吸収式冷凍サイクルを行う吸収式冷凍機（10）と、上記圧縮式冷凍機（2）及び吸収式冷凍機（10）で発生する冷熱又は温熱を、相変化する冷媒により利用側ユニット（22）へ搬送する利用側回路（20）とを備える冷凍システムが対象である。そして、上記利用側回路（20）には、上記圧縮式冷凍機（2）の冷熱発生器（6）又は温熱発生器（4）と、上記吸収式冷凍機（10）の冷熱発生器（13）及び温熱発生器（9）とがそれぞれ直接に接続されると共に、冷房時に冷媒が上記各冷熱発生器（6,13）に流れ、暖房時に冷媒が上記各温熱発生器（4,9）に流れるように冷媒通路を切り換える切換機構（SV4,SV5）が設けられ、上記圧縮式冷凍機（2）及び吸収式冷凍機（10）の各冷熱発生器（6,13）は、上記利用側回路（20）に直列に設けられ、上記吸収式冷凍機（10）の冷媒の蒸発温度は、０℃以下であり、
吸収式冷凍機（10）の冷熱発生器（13）には、圧縮式冷凍機（2）の冷熱発生器（6）を通過した利用側回路（20）の冷媒が流れるように構成されている。
【００１５】
上記の発明によると、冷房時に、切換機構（SV4,SV5）は、利用側回路（20）の冷媒が、該利用側回路（20）に接続されている圧縮式冷凍機（2）及び吸収式冷凍機（10）の各冷熱発生器（6,13）を流れるように、冷媒通路を切り換える。その結果、利用側回路（20）の冷媒は、上記冷熱発生器（6,13）において各冷凍機の冷媒との間で熱交換が行われて冷却される。
【００１６】
一方、暖房時に、切換機構（SV4,SV5）は、利用側回路（20）の冷媒が、該利用側回路（20）に接続されている圧縮式冷凍機（2）及び吸収式冷凍機（10）の各温熱発生器（4,9）を流れるように、冷媒通路を切り換える。その結果、利用側回路（20）の冷媒は、上記温熱発生器（4,9）において各冷凍機の冷媒や吸収溶液との間で熱交換が行われて加熱される。
【００１７】
また、圧縮式冷凍機（2）と吸収式冷凍機（10）との何れか一方の冷熱発生器（6,13）を流れた冷媒は、その後に他方の冷熱発生器（6,13）を流れることにより冷却される。さらに、吸収式冷凍機（10）の冷媒の蒸発温度が０℃以下の低温であるので、利用側回路（20）の冷媒は、まず、圧縮式冷凍機（2）の冷熱発生器（6）で予め冷却される。その後、上記冷媒は、吸収式冷凍機（10）の冷熱発生器（13）でさらに低温に冷却される。このとき、圧縮式冷凍機（2）の冷媒の蒸発圧力が比較的大きくなり、システム全体の効率が向上する。
【００１８】
請求項３に係る発明は、蒸気圧縮式冷凍サイクルを行う圧縮式冷凍機（2）と、吸収式冷凍サイクルを行う吸収式冷凍機（10）と、上記圧縮式冷凍機（2）及び吸収式冷凍機（10）で発生する冷熱又は温熱を、相変化する冷媒により利用側ユニット（22）へ搬送する利用側回路（20）とを備える冷凍システムが対象である。そして、上記利用側回路（20）には、上記圧縮式冷凍機（2）及び吸収式冷凍機（10）の各冷熱発生器（6,13）、又は圧縮式冷凍機（2）及び吸収式冷凍機（10）の各温熱発生器（4,9）がそれぞれ直接に接続され、上記利用側回路（20）は、該利用側回路（20）で冷媒を強制循環させるためのポンプ（30）を備え、上記ポンプ（30）は、吸入したガス冷媒を吐出する冷媒ガスポンプ（30）である。
【００１９】
請求項４に係る発明は、蒸気圧縮式冷凍サイクルを行う圧縮式冷凍機（2）と、吸収式冷凍サイクルを行う吸収式冷凍機（10）と、上記圧縮式冷凍機（2）及び吸収式冷凍機（10）で発生する冷熱又は温熱を、相変化する冷媒により利用側ユニット（22）へ搬送する利用側回路（20）とを備える冷凍システムが対象である。そして、上記利用側回路（20）には、上記圧縮式冷凍機（2）の冷熱発生器（6）又は温熱発生器（4）と、上記吸収式冷凍機（10）の冷熱発生器（13）及び温熱発生器（9）とがそれぞれ直接に接続されると共に、冷房時に冷媒が上記各冷熱発生器（6,13）に流れ、暖房時に冷媒が上記各温熱発生器（4,9）に流れるように冷媒通路を切り換える切換機構（SV4,SV5）が設けられ、上記利用側回路（20）は、該利用側回路（20）で冷媒を強制循環させるためのポンプ（30）を備え、上記ポンプ（30）は、吸入したガス冷媒を吐出する冷媒ガスポンプ（30）である。
【００２０】
上記請求項３及び４に係る発明によると、利用側回路（20）の冷媒は、冷媒ガスポンプ（30）が駆動することにより該利用側回路（20）を循環し、圧縮式冷凍機（2）及び吸収式冷凍機（10）で生じた冷熱又は温熱を利用側ユニット（22）へ搬送する。そして、冷媒ガスポンプ（30）の吐出側が圧縮式冷凍機（2）又は吸収式冷凍機（10）の冷熱発生器（6,13）に接続されている場合には、冷熱発生器（6,13）の２次側の冷媒圧力が高くなって、その冷媒温度も高くなるため、冷熱発生器（6,13）の１次側で冷媒が容易に蒸発する。
【００２１】
一方、冷媒ガスポンプ（30）の吸入側が圧縮式冷凍機（2）又は吸収式冷凍機（10）の温熱発生器（4,9）に接続されている場合には、温熱発生器（4,9）の２次側の冷媒圧力が低くなって、その冷媒温度も低くなるため、温熱発生器（4,9）の１次側で冷媒が容易に凝縮する。
【００２２】
請求項５に係る発明は、上記請求項１又は２に係る発明において、上記圧縮式冷凍機（2）の冷熱発生器（6）は、該圧縮式冷凍機（2）の蒸発器（6）であり、吸収式冷凍機（10）の冷熱発生器（13）は、該吸収式冷凍機（10）の蒸発器（13）である。
【００２３】
この発明によると、利用側回路（20）の冷媒は、圧縮式冷凍機（2）の蒸発器（6）と、吸収式冷凍機（10）の蒸発器（13）との双方において冷却される。
【００２４】
請求項６に係る発明は、上記請求項３又は４に係る発明において、上記圧縮式冷凍機（2）及び吸収式冷凍機（10）の各冷熱発生器（6,13）は、利用側回路（20）に直列に設けられている。
【００２５】
この発明によると、圧縮式冷凍機（2）と吸収式冷凍機（10）との何れか一方の冷熱発生器（6,13）を流れた冷媒は、その後に他方の冷熱発生器（6,13）を流れることにより冷却される。
【００２６】
請求項７に係る発明は、上記請求項３又は４に係る発明において、上記圧縮式冷凍機（2）及び吸収式冷凍機（10）の各温熱発生器（4,9）は、利用側回路（20）に直列に設けられている。
【００２７】
上記の発明によると、圧縮式冷凍機（2）と吸収式冷凍機（10）との何れか一方の温熱発生器（4,9）を流れた冷媒は、その後に他方の温熱発生器（4,9）を流れることにより加熱される。
【００２８】
【発明の実施の形態】
（参考例１）
以下、本発明の実施形態を図面に基づいて説明する。
【００２９】
図１は、本発明に係る冷凍システムの参考例１を示している。この冷凍システム（1）は、圧縮式冷凍機（2）と、吸収式冷凍機（10）と、利用側回路（20）とを備えている。
【００３０】
上記圧縮式冷凍機（2）は、圧縮機（3）と、熱源側熱交換器と、膨張弁（5）と、利用側熱交換器である第１主熱交換器（HEX5）と、四路切換弁（7）とを備え、これらは配管により接続され、１次側の冷媒回路（8）を構成している。冷媒回路（8）は、冷媒が循環することで、蒸気圧縮式冷凍サイクルを行うようになっている。そして、圧縮式冷凍機（2）は、四路切換弁（7）により冷媒通路を切り換えることで、冷房運転又は暖房運転を行うように構成されている。冷房運転時には、熱源側熱交換器が凝縮器（4）となると共に、第１主熱交換器（HEX5）が蒸発器（6）となる。一方、暖房運転時には、熱源側熱交換器が蒸発器（6）となる一方、第１主熱交換器（HEX5）が凝縮器となる。
【００３１】
上記吸収式冷凍機（10）は、冷媒蒸気を、吸収溶液へ吸収させるための吸収器（14）と、該吸収器（14）内で冷媒蒸気を吸収して薄くなった吸収溶液から水を蒸発させて分離し、該吸収溶液を濃縮するための再生器（11）とを備えている。再生器（11）は、燃料である都市ガス等を燃焼させ、その燃焼熱により吸収溶液から冷媒を蒸発させて高圧の冷媒ガスを発生させるようになっている。さらに、吸収式冷凍機（10）は、水蒸気を凝縮する凝縮器（12）と、凝縮した水を蒸発させる蒸発器（13）とを備えている。蒸発器（13）には、利用側熱交換器である第２主熱交換器（HEX2）が設けられている。そして、これらは配管により接続され、１次側の冷媒回路（23）を構成している。
【００３２】
こうして、吸収式冷凍機（10）は、１次側媒体である水が冷媒回路（23）で循環することで、吸収式冷凍サイクルを行い、蒸発器（13）で冷熱を発生するようになっている。
【００３３】
尚、吸収式冷凍機（10）は、冷却ファン（図示省略）からの空気流によって、吸収器（14）の吸収溶液や凝縮器（12）を流れる熱媒体を冷却するようになっている。
【００３４】
上記利用側回路（20）は、圧縮式冷凍機（2）及び吸収式冷凍機（10）で発生する冷熱又は温熱を、相変化する冷媒により利用側ユニットである室内ユニット（22）へ搬送するためのものであって、特に、この参考例１では、上記各冷凍機（2,10）で発生した冷熱を搬送するように構成されている。
【００３５】
すなわち、利用側回路（20）は、２次側の冷媒である非共沸混合冷媒が充填された２次側の冷媒回路であって、循環回路を構成している（以降、利用側回路（20）の冷媒を単に２次側冷媒と呼ぶ）。利用側回路（20）は、後述のポンプ（30）と、室内膨張弁（EV）と、複数として例えば２台の室内ユニット（22）とを備えている。
【００３６】
ポンプ（30）は、利用側回路（20）で２次側冷媒を強制循環させるためのものであり、吸入した液冷媒を吐出する冷媒液ポンプ（30）に構成されている。室内ユニット（22）は、２次側冷媒と室内空気との間で熱交換を行うための室内熱交換器（HEX1）を備えている。そして、ポンプ（30）と、室内膨張弁（EV）と、室内熱交換器（HEX1）とは順に配管接続されている。
【００３７】
そして、本発明では、上記利用側回路（20）には、上記圧縮式冷凍機（2）及び吸収式冷凍機（10）の各冷熱発生器、又は圧縮式冷凍機（2）及び吸収式冷凍機（10）の各温熱発生器がそれぞれ直接に接続されている。特に、この参考例１では、利用側回路（20）には、圧縮式冷凍機（2）の冷熱発生器である蒸発器（6）としての第１主熱交換器（HEX5）と、吸収式冷凍機（10）の冷熱発生器である蒸発器（13）の第２主熱交換器（HEX2）とが、それぞれ直接に接続されている。
【００３８】
具体的に、上記圧縮式冷凍機（2）の第１主熱交換器（HEX5）の出口と冷媒液ポンプ（30）の吸入口とは、第２配管（26）により接続されている。また、冷媒ポンプ（30）の吐出口と室内熱交換器（HEX1）の入口とは、第１配管（25）により接続されている。すなわち、第１配管（25）の一端が冷媒液ポンプ（30）に接続される一方、その他端が分岐されて各室内熱交換器（HEX1）に接続されている。第１配管（25）の分岐部分には、室内膨張弁（EV）がそれぞれ設けられている。
【００３９】
一方、室内熱交換器（HEX1）の出口と第１主熱交換器（HEX5）の入口とは、第３配管（24）により接続されている。つまり、第３配管（24）の一端は、分岐されて各室内熱交換器（HEX1）に接続される一方、その他端が第１主熱交換器（HEX5）に接続されている。こうして、第１主熱交換器（HEX5）では、圧縮式冷凍機（2）の冷媒回路（21）の１次側冷媒と、利用側回路（20）の２次側冷媒との間で熱交換を行うようになっている。
【００４０】
さらに、上記吸収式冷凍機（10）の第２主熱交換器（HEX2）の出口には、第４配管（27）の一端が接続され、その他端が上記第２配管（26）に合流するように接続されている。一方、第２主熱交換器（HEX2）の入口には、第５配管（28）の一端が接続され、その他端が上記第３配管（24）に分岐するように接続されている。そして、第２主熱交換器（HEX2）では、吸収式冷凍機（10）の冷媒回路（23）の１次側冷媒と、利用側回路（20）の２次側冷媒との間で熱交換を行うようになっている。
【００４１】
このように、利用側回路（20）には、第１主熱交換器（HEX5）と、第２主熱交換器（HEX2）とが並列に接続されている。そして、冷媒液ポンプ（30）を駆動させることにより、第１主熱交換器（HEX5）で２次側冷媒に伝えられた圧縮式冷凍機（2）の冷熱を、第２配管（26）及び第１配管（25）を介して室内熱交換器（HEX1）へ搬送すると共に、第２主熱交換器（HEX2）で２次側冷媒に伝えられた吸収式冷凍機（10）の冷熱を、第４配管（27）及び第１配管（25）を介して室内熱交換器（HEX1）へ搬送するようにしている。
【００４２】
−冷凍システムの作動−
次に、本発明に係る冷凍システム（1）の作動について説明する。
【００４３】
圧縮式冷凍機（2）では、四路切換弁（7）により冷房運転を行うように冷媒通路が切り換えられ、圧縮機（3）が駆動することで、蒸気圧縮式冷凍サイクルが行われる。その結果、蒸発器（6）である第１主熱交換器（HEX5）で冷熱が発生する。第１主熱交換器（HEX5）では、冷媒回路（21）の１次側冷媒と、利用側回路（20）の２次側冷媒との間で熱交換が行われ、圧縮式冷凍機（2）で発生した冷熱が２次側冷媒に伝えられる。冷却されて凝縮した２次側冷媒は、第２配管（26）を介して冷媒液ポンプ（30）に吸い込まれる。
【００４４】
一方、吸収式冷凍機（10）では、再生器（11）において吸収溶液が加熱されて水蒸気が発生する。この水蒸気は、凝縮器（12）へ送られる。そして、この水蒸気は、凝縮器（12）において、冷却ファン（図示省略）により供給される空気流により冷却されて凝縮する。凝縮器（12）で凝縮した水は、蒸発器（13）の第２主熱交換器（HEX2）へ送られる。この第２主熱交換器（HEX2）では、１次側の冷媒である凝縮した水と、利用側回路（20）の２次側冷媒との間で熱交換が行われる。その結果、１次側冷媒である水は２次側冷媒から吸熱して蒸発する一方、２次側冷媒は冷媒により冷却されて凝縮する。
【００４５】
上記蒸発器（13）で蒸発した水蒸気は、吸収器（14）へ送られる。吸収器（14）では、水蒸気が吸収溶液に吸収される。このとき、発生する吸収熱は、冷却ファン（図示省略）により供給される空気流により外部へ排出される。そして、吸収器（14）で吸収されて薄くなった吸収溶液は、再び再生器（11）へ送られる。そして、上記第２主熱交換器（HEX2）で冷却された２次側冷媒は、第４配管（27）を介して冷媒液ポンプ（30）に吸い込まれる。
【００４６】
こうして、第１主熱交換器（HEX5）及び第２主熱交換器（HEX2）により冷却された後に冷媒液ポンプ（30）に吸い込まれた２次側冷媒は、第１配管（25）に吐出される。
【００４７】
第１配管（25）を流通する液冷媒は、各室内膨張弁（EV）を通過して減圧され、その後、各室内ユニット（22）の室内熱交換器（HEX1）へそれぞれ送られる。室内熱交換器（HEX1）では、減圧された２次側冷媒と、室内空気との間で熱交換が行われる。その結果、２次側冷媒は蒸発する一方、室内空気は冷却される。
【００４８】
各室内熱交換器（HEX1）で吸熱して蒸発した２次側冷媒は、第３配管（24）を通って再び第１主熱交換器（HEX5）へ送られると共に、第３配管（24）及び第５配管（28）を通って再び第２主熱交換器（HEX2）へ送られる。このようにして、冷房運転時には、圧縮式冷凍機（2）及び吸収式冷凍機（10）で発生した冷熱は、利用側回路（20）により室内ユニット（22）へ搬送されて室内の冷房が行われる。
【００４９】
−参考例１の効果−
以上説明したように、この参考例１によると、圧縮式冷凍機（2）の蒸発器（6）である第１主熱交換器（HEX5）で発生した冷熱は、該第１主熱交換器（HEX5）において利用側回路（20）の冷媒に直接に伝えられる。一方、吸収式冷凍機（10）の蒸発器（13）の第２主熱交換器（HEX2）で発生した冷熱は、該第２主熱交換器（HEX2）において利用側回路（20）の冷媒に直接に伝えられる。すなわち、圧縮式冷凍機（2）及び吸収式冷凍機（10）で発生した冷熱は、各熱交換器（HEX5,HEX2）において１回の熱交換により利用側回路（20）の冷媒へ伝えられるため、熱交換の回数を減らして熱損失を低減し、該利用側回路（20）の冷媒を効率よく冷却することができる。
【００５０】
また、冷媒液ポンプ（30）という簡単な構成により、２次側冷媒を利用側回路（20）で循環させることができる。そして、圧縮式冷凍機（2）及び吸収式冷凍機（10）により冷却した冷媒を、利用側回路（20）を介して複数の室内ユニット（22）へ搬送することができる。
【００５１】
尚、この参考例１では、利用側ユニットとして、室内ユニット（22）を設けて室内の冷房を行うようにしたが、その他に、利用側ユニットとして、冷蔵ユニットや冷凍ユニットを設けて被冷却物の冷蔵や冷凍を行うようにしてもよい。
【００５２】
また、上記第１主熱交換器（HEX5）と、第２主熱交換器（HEX2）とを、室内熱交換器（HEX1）よりも上方に配置させることで、上記冷媒液ポンプ（30）を設けずに、２次側冷媒を利用側回路（20）で自然循環させるようにしてもよい。
【００５３】
（参考例２）
図２は、本発明に係る冷凍システムの参考例２を示している。尚、以下の各実施形態では、図１と同じ部分については同じ符号を付してその詳細な説明は省略する。
【００５４】
上記参考例１は、冷房運転を行うものであるのに対し、この参考例２は、暖房運転を行うようにしたものである。この冷凍システム（1）は、圧縮式冷凍機（2）、吸収式冷凍機（10）及び利用側回路（20）に加えて、第２の吸収式冷凍機である吸収ヒートポンプ（90）を備えている。
【００５５】
上記吸収ヒートポンプ（90）は、再生器（91）と、凝縮器（92）と、蒸発器（93）と、吸収器（94）とを備えている。そして、再生器（91）に、燃料ガスの燃焼ガス等が供給されることで駆動し、凝縮器（92）及び吸収器（94）で温熱を発生するように構成されている。すなわち、吸収ヒートポンプ（90）の凝縮器（92）及び吸収器（94）の少なくとも一方は、該吸収ヒートポンプ（90）の温熱発生器を構成している。
【００５６】
凝縮器（92）は、該凝縮器（92）で凝縮した液冷媒と、利用側回路（20）の２次側冷媒との間で熱交換するための凝縮熱交換器（HEX8）を備えている。また、吸収器（94）は、該吸収器（94）の吸収溶液と、利用側回路（20）の２次側冷媒との間で熱交換するための吸収熱交換器（HEX9）を備えている。
【００５７】
上記吸収式冷凍機（10）は、再生器（11）と、凝縮器（12）と、吸収器（14）と、暖房用加熱器（9）とを備えている。暖房用加熱器（9）は、第２主熱交換器（HEX2）を備えている。そして、吸収式冷凍機（10）は、加熱により再生器（11）で発生した冷媒蒸気を暖房用加熱器（9）へ送り、該暖房用加熱器（9）の第２主熱交換器（HEX2）で利用側回路（20）の冷媒に放熱するように構成されている。第２主熱交換器（HEX2）で放熱して凝縮した冷媒は、吸収溶液と共に吸収器（14）及び再生器（11）へ送られるようになっている。すなわち、第２主熱交換器（HEX2）は、吸収式冷凍機（10）の温熱発生器を構成している。そして、この第２主熱交換器（HEX2）は、吸収式冷凍機（10）の冷媒の凝縮熱によって利用側回路（20）の２次側冷媒を加熱する熱交換器に構成されている。
【００５８】
上記圧縮式冷凍機（2）は、四路切換弁（7）により冷媒通路が切り換えられることで、利用側熱交換器である第１主熱交換器（HEX5）が凝縮器となっている。つまり、第１主熱交換器（HEX5）は、圧縮式冷凍機（2）の温熱発生器を構成している。
【００５９】
上記第１主熱交換器（HEX5）の出口には、第２配管（26）の一端が接続される一方、その他端は２つに分岐して室内ユニット（22）の各室内熱交換器（HEX1）に接続されている。この第２配管（26）の各分岐部分には、室内膨張弁（EV）がそれぞれ設けられている。
【００６０】
上記第２主熱交換器（HEX2）の出口には、第４配管（27）の一端が接続され、その他端が上記第２配管（26）に合流するように接続されている。また、上記凝縮熱交換器（HEX8）の出口には、第６配管（96）の一端が接続される一方、その他端が上記第２配管（26）に合流するように接続されている。
【００６１】
一方、第１主熱交換器（HEX5）の入口には、第３配管（24）の一端が接続される一方、その他端が２つに分岐して各室内熱交換器（HEX1）に接続されている。この第３配管（24）には、冷媒液ポンプ（30）が設けられている。また、第２主熱交換器（HEX2）の入口には、第５配管（28）の一端が接続される一方、その他端が上記第３配管（24）に分岐するように接続されている。
【００６２】
そして、第３配管（24）における冷媒液ポンプ（30）の出口側には、第９配管（99）の一端が接続されている。第９配管（99）の他端は、第２配管（26）に合流するように接続されている。
【００６３】
また、吸収熱交換器（HEX9）の入口には、第８配管（98）の一端が接続される一方、その他端は、第３配管（24）に分岐するように接続されている。さらに、上記凝縮熱交換器（HEX8）の入口と、吸収熱交換器（HEX9）の出口とは、第７配管（97）により接続されている。第７配管（97）には、三路弁（100）が設けられている。三路弁（100）の他の１つのポートには、連絡管（101）の一端が接続されており、連絡管（101）の他端は、上記第９配管（99）に合流するように接続されている。
【００６４】
上記第８配管（98）には、第１開閉弁（SV1）が設けられている。第９配管（99）における連絡管（101）との合流部と、第３配管（24）との合流部との間には、第２開閉弁（SV2）が設けられている。また、第９配管（99）における連絡管（101）との合流部と、第２配管（26）との合流部との間には、第３開閉弁（SV3）が設けられている。
【００６５】
そして、上記三路弁（100）は、吸収熱交換器（HEX9）と凝縮熱交換器（HEX8）とが連通する状態と、吸収熱交換器（HEX9）と第３開閉弁（SV3）とが連通する状態と、第２開閉弁（SV2）と凝縮熱交換器（HEX8）とが連通する状態との何れか１つに冷媒通路を切り換えるように構成されている。
【００６６】
−冷凍システムの作動−
次に、この参考例２の冷凍システム（1）の作動について説明する。
【００６７】
圧縮式冷凍機（2）では、圧縮機（3）が駆動することで凝縮器である第１主熱交換器（HEX5）で温熱が発生し、該第１主熱交換器（HEX5）において、圧縮式冷凍機（2）の冷媒と、利用側回路（20）の２次側冷媒との間で熱交換が行われ、該２次側冷媒が加熱される。第１主熱交換器（HEX5）で加熱された２次側冷媒は、液冷媒ポンプ（30）の駆動により第２配管（26）を流れ、室内ユニット（22）へ送られる。
【００６８】
吸収式冷凍機（10）では、再生器（11）で加熱されて発生した冷媒蒸気が暖房用加熱器（9）の第２主熱交換器（HEX2）へ送られる。そして、第２主熱交換器（HEX2）において、吸収式冷凍機（10）の冷媒蒸気と、利用側回路（20）の２次側冷媒との間で熱交換が行われ、該２次側冷媒が加熱される。第２主熱交換器（HEX2）で加熱された２次側冷媒は、液冷媒ポンプ（30）の駆動により、第４配管（27）及び第２配管（26）を流れ、室内ユニット（22）へ送られる。
【００６９】
吸収ヒートポンプ（90）では、再生器（91）で発生した冷媒が、凝縮器（92）の凝縮熱交換器（HEX8）で凝縮し、温熱が発生する。凝縮した冷媒は、蒸発器（93）で蒸発し、吸収器（94）へ送られる。吸収器（94）では、冷媒ガスが吸収溶液に吸収されることで、温熱が発生する。吸収溶液に吸収された冷媒は、再び再生器（91）へ戻る。
【００７０】
ここで、上記凝縮器（92）及び吸収器（94）の少なくとも一方の温熱で、利用側回路（20）の２次側冷媒を加熱するように、冷媒通路を切り換える。
【００７１】
まず、凝縮器（92）及び吸収器（94）の双方の温熱により２次側冷媒を加熱する場合には、第１開閉弁（SV1）を開放し、第２開閉弁（SV2）及び第３開閉弁（SV3）を閉鎖し、三路弁（100）を、吸収熱交換器（HEX9）と凝縮熱交換器（HEX8）とが連通するように冷媒通路を切り換える。
【００７２】
こうすることで、第８配管（98）を流れる２次側冷媒が第１開閉弁（SV1）を介して吸収熱交換器（HEX9）を流通する。吸収熱交換器（HEX9）において、吸収溶液と２次側冷媒との間で熱交換が行われ、該２次側冷媒が加熱される。加熱された２次側冷媒は、第７配管（97）及び三路弁（100）を通って、凝縮熱交換器（HEX8）へ送られる。そして、凝縮熱交換器（HEX8）において、１次側の冷媒と２次側冷媒との間で熱交換が行われ、該２次側冷媒がさらに加熱される。凝縮熱交換器（HEX8）で加熱された２次側冷媒は、第６配管（96）及び第２配管（26）を流れて、室内ユニット（22）へ送られる。
【００７３】
次に、吸収器（94）の温熱のみにより、２次側冷媒を加熱する場合には、第１開閉弁（SV1）及び第３開閉弁（SV3）を開放し、第２開閉弁（SV2）を閉鎖し、三路弁（100）を、吸収熱交換器（HEX9）と第３開閉弁（SV3）とが連通するように冷媒通路を切り換える。
【００７４】
こうすることにより、第８配管（98）を流れる２次側冷媒が第１開閉弁（SV1）を介して吸収熱交換器（HEX9）を流通し、該吸収熱交換器（HEX9）において２次側冷媒が加熱される。加熱された２次側冷媒は、第７配管（97）、三路弁（100）、連絡管（101）、第９配管（99）及び第３開閉弁（SV3）を通って、第２配管（26）を流れ、室内ユニット（22）へ送られる。
【００７５】
次に、凝縮器（92）の温熱のみにより、２次側冷媒を加熱する場合には、第２開閉弁（SV2）を開放し、第１開閉弁（SV1）及びを第３開閉弁（SV3）閉鎖し、三路弁（100）を、第２開閉弁（SV2）と凝縮熱交換器（HEX8）とが連通するように冷媒通路を切り換える。
【００７６】
こうすることで、第２開閉弁（SV2）及び第９配管（99）を流れる２次側冷媒は、連絡管（101）、三路弁（100）及び第７配管（97）を通って凝縮熱交換器（HEX8）を流通し、該凝縮熱交換器（HEX8）において２次側冷媒が加熱される。加熱された２次側冷媒は、第６配管（96）及び第２配管（26）を流れて、室内ユニット（22）へ送られる。
【００７７】
こうして、凝縮器（92）及び吸収器（94）の少なくとも一方により加熱された２次側冷媒は、室内ユニット（22）の各室内熱交換器（HEX1）において、室内空気との間で熱交換を行い、室内の暖房が行われる。
【００７８】
各室内熱交換器（HEX1）で凝縮した２次側冷媒は、第１配管（25）を流れて液冷媒ポンプ（30）に吸い込まれる。その後、冷媒液ポンプ（30）から吐出された２次側冷媒は、第３配管（24）を流通し、第８配管（98）又は第９配管（99）へ分流して吸収ヒートポンプ（90）の凝縮器（92）及び吸収器（94）の少なくとも一方へ送られると共に、第５配管（28）へ分流して吸収式冷凍機（10）の暖房用加熱器（9）へ送られ、さらに、第３配管（24）をそのまま流れて圧縮式冷凍機（2）へ送られる。このようにして、２次側冷媒は、利用側回路（20）を循環する。
【００７９】
−参考例２の効果−
以上説明したように、この参考例２によると、圧縮式冷凍機（2）の第１主熱交換器（HEX5）と、吸収式冷凍機（10）の第２主熱交換器（HEX2）と、吸収ヒートポンプ（90）の凝縮熱交換器（HEX8）及び吸収熱交換器（HEX9）の少なくとも一方とのそれぞれにおいて、利用側回路（20）の２次側冷媒を、各冷凍機（2,10,90）の熱媒体との間で直接に熱交換することで、効率よく加熱することができる。
【００８０】
（参考例３）
図３は、本発明に係る冷凍システムの参考例３を示している。この参考例３の冷凍システム（1）は、室内の冷房と暖房とを切り換えて行うように構成されている。
【００８１】
すなわち、冷凍システム（1）は、上記参考例２と同様に、利用側回路（20）に直接に接続された圧縮式冷凍機（2）と、吸収式冷凍機（10）と、吸収ヒートポンプ（90）と、利用側回路（20）とを備えている。そして、この参考例３では、第１主種熱交換器（HEX5）は、圧縮式冷凍機（2）の蒸発器（6）に構成される一方、第２主種熱交換器（HEX2）は、吸収式冷凍機（10）の蒸発器（13）に設けられている。また、上記吸収ヒートポンプ（90）、圧縮式冷凍機（2）及び吸収式冷凍機（10）は、それぞれ室内ユニット（22）よりも高い位置に配設されている。
【００８２】
吸収ヒートポンプ（90）の凝縮熱交換器（HEX8）と、第２配管（26）とを接続する第６配管（96）には、第４開閉弁（SV4）が設けられている。そして、一端が第３配管（24）に分岐接続された第９配管（99）の他端は、上記第６配管（96）における凝縮熱交換器（HEX8）と第４開閉弁（SV4）との間に合流するように接続されている。
【００８３】
上記吸収ヒートポンプ（90）の蒸発器（93）には、蒸発熱交換器（HEX6）が設けられている。該蒸発熱交換器（HEX6）の出口には、第１０配管（103）の一端が接続される一方、その他端が第２配管（26）に合流するように接続されている。一方、蒸発熱交換器（HEX6）の入口には、第１１配管（104）の一端が接続される一方、その他端が第３配管（24）に分岐するように接続されている。
【００８４】
第２配管（26）には、第５開閉弁（SV5）が設けられている。第５開閉弁（SV5）は、第２配管（26）と第１０配管（103）との合流部と、第２配管（26）と第６配管（96）との合流部との間に配設されている。
【００８５】
こうして、利用側回路（20）には、圧縮式冷凍機（2）の冷熱発生器である第１主熱交換器（HEX5）と、吸収式冷凍機（10）の冷熱発生器である第２主熱交換器（HEX2）と、吸収ヒートポンプ（90）の冷熱発生器である蒸発熱交換器（HEX6）と、該吸収ヒートポンプ（90）の温熱発生器である凝縮熱交換器（HEX8）及び吸収熱交換器（HEX9）とがそれぞれ直接に接続されている。
【００８６】
そして、上記第４開閉弁（SV4）と第５開閉弁（SV5）とは、冷房時に冷媒が上記各冷熱発生器（HEX5,HEX2,HEX6）に流れ、暖房時に冷媒が上記各温熱発生器（HEX8,HEX9）に流れるように冷媒通路を切り換える切換機構を構成している。つまり、冷房時には、第４開閉弁（SV4）が閉鎖されると共に第５開閉弁（SV5）が開放され、暖房時には、第４開閉弁（SV4）が開放されると共に第５開閉弁（SV5）が閉鎖されるようになっている。
【００８７】
−冷凍システムの作動−
次に、この参考例３の冷凍システム（1）の作動について説明する。まず、冷房運転時には、第４開閉弁（SV4）が閉鎖されると共に第５開閉弁（SV5）が開放される。
【００８８】
このとき、第１主熱交換器（HEX5）で１次側冷媒との間で熱交換して冷却された２次側冷媒は、第２配管（26）を流れる。第２主熱交換器（HEX2）で１次側冷媒との間で熱交換して冷却された２次側冷媒は、第４配管（27）及び第２配管（26）を流通する。また、蒸発熱交換器（HEX6）で１次側冷媒との間で熱交換して冷却された２次側冷媒は、第１０配管（103）及び第２配管（26）を流れる。
【００８９】
第２配管（26）の２次側の液冷媒は、重力によって、各冷凍機（2,10,90）よりも下方に位置している室内ユニット（22）へ流れる。室内ユニット（22）へ流れてきた２次側冷媒は、室内熱交換器（HEX1）で室内空気と熱交換して室内空気を冷却する。室内熱交換器（HEX1）で吸熱して蒸発した２次側冷媒は、第１配管（25）及び第３配管（24）を上昇し、第１１配管（104）へ分岐して蒸発熱交換器（HEX6）へ流れると共に、第５配管（28）へ分岐して第２主熱交換器（HEX2）へ流れ、さらに、第３配管（24）をそのまま流れて第１主熱交換器（HEX5）へ流れる。このようにして、２次側冷媒は、冷房運転時に、利用側回路（20）で自然循環する。
【００９０】
次に、暖房運転時には、第４開閉弁（SV4）が開放されると共に第５開閉弁（SV5）が閉鎖される。また、圧縮式冷凍機（2）及び吸収式冷凍機（10）は、それぞれ駆動を停止し、吸収ヒートポンプ（90）のみ駆動する。
【００９１】
このとき、図３に破線で示すように、利用側回路（20）の２次側冷媒は、吸収ヒートポンプ（90）の凝縮器（92）及び吸収器（94）の少なくとも一方の温熱を、室内ユニット（22）へ搬送する。尚、第１開閉弁（SV1）、第２開閉弁（SV2）及び第３開閉弁（SV3）の開閉作動については、上記参考例２と同じであるため、その説明は省略する。
【００９２】
すなわち、２次側冷媒は、凝縮熱交換器（HEX8）及び吸収熱交換器（HEX9）の少なくとも一方において、吸収ヒートポンプ（90）の１次側冷媒や吸収溶液との間で熱交換して加熱される。加熱された２次側冷媒は、冷媒液ポンプ（30）のくどうによって、第６配管（96）及び第４開閉弁（SV4）を通って、各室内熱交換器（HEX1）へ流れる。室内熱交換器（HEX1）では、２次側冷媒と室内空気との間で熱交換が行われ、該室内空気が加熱される。室内熱交換器（HEX1）で放熱して凝縮した２次側の液冷媒は、第１配管（25）を介して冷媒液ポンプ（30）に吸い込まれ、第３配管（24）へ吐出される。第３配管（24）へ吐出された２次側冷媒は、第３配管（24）と、第８配管（98）又は第９配管（99）を通って、凝縮熱交換器（HEX8）及び吸収熱交換器（HEX9）の少なくとも一方へ再び戻る。このようにして、２次側冷媒は、暖房運転時に、冷媒液ポンプ（30）により利用側回路（20）で強制循環する。
【００９３】
−参考例３の効果−
以上説明したように、この参考例３によると、切換機構である第４開閉弁（SV4）及び第５開閉弁（SV5）により冷媒通路の切り換えることによって、室内の冷房と暖房とをそれぞれ行うことができる。
【００９４】
そして、冷房運転時には、各冷凍機（2,10,90）の熱交換器（HEX5,HEX2,HEX6）において、該各冷凍機（2,10,90）の１次側の冷媒と、利用側回路（20）の２次側の冷媒との間で直接に熱交換して該２次側冷媒を効率よく冷却することができる。さらに、暖房運転時には、吸収ヒートポンプ（90）の凝縮熱交換器（HEX8）及び吸収熱交換器（HEX9）の少なくとも一方において、該吸収ヒートポンプ（90）の１次側の冷媒や吸収溶液と、利用側回路（20）の２次側冷媒との間で直接に熱交換して該２次側冷媒を効率よく加熱することができる。
【００９５】
（参考例４）
図４は、本発明に係る冷凍システムの参考例４を示している。この参考例４の冷凍システム（1）も、室内の冷房と暖房とを切り換えて行うように構成されている。
【００９６】
この参考例４の冷凍システム（1）は、上記参考例２において、吸収ヒートポンプ（90）の蒸発器（93）を利用側回路（20）に直接に接続すると共に、冷房運転と暖房運転とを切り換えるための切換機構（SV4,SV5）を設けるようにしたものである。
【００９７】
具体的に、上記蒸発器（93）は、蒸発熱交換器（HEX6）を備えている。蒸発熱交換器（HEX6）の入口には、第１１配管（104）の一端が接続され、その他端が第３配管（24）に分岐するように接続されている。一方、蒸発熱交換器（HEX6）の出口には、第１０配管（103）の一端が接続され、その他端が第２配管（26）に合流するように接続されている。第１０配管（103）と第２配管（26）との合流部は、第２配管（26）と第９配管（99）と、第２配管（26）の分岐部との間に配置されている。
【００９８】
上記第１０配管（103）には、第４開閉弁（SV4）が配設されている。また、第２配管（26）には第５開閉弁（SV5）が設けられている。第５開閉弁（SV5）は、第２配管（26）と第１０配管（103）との合流部と、第２配管（26）と第９配管（99）との合流部との間に配置されている。そして、この第４開閉弁（SV4）及び第５開閉弁（SV5）が上記切換機構を構成している。
【００９９】
すなわち、上記参考例３にも示したように、利用側回路（20）には、圧縮式冷凍機（2）の冷熱発生器又は温熱発生器と、吸収式冷凍機（10）の冷熱発生器又は温熱発生器と、吸収ヒートポンプ（90）の冷熱発生器及び温熱発生器とがそれぞれ直接に接続されている。そして、切換機構（SV4,SV5）は、冷房時に冷媒が上記各冷熱発生器に流れ、暖房時に冷媒が上記各温熱発生器に流れるように冷媒通路を切り換えるように構成されている。
【０１００】
−冷凍システムの作動−
次に、この参考例４の冷凍システム（1）の作動について説明する。まず、冷房運転時には、第４開閉弁（SV4）が開放されると共に第５開閉弁（SV5）が閉鎖される。また、圧縮式冷凍機（2）及び吸収式冷凍機（10）は、それぞれ駆動を停止し、吸収ヒートポンプ（90）のみ駆動する。
【０１０１】
このとき、図４に破線で示すように、利用側回路（20）の２次側冷媒は、吸収ヒートポンプ（90）の蒸発器（93）で発生した冷熱を、室内ユニット（22）へ搬送する。
【０１０２】
すなわち、蒸発器（93）の蒸発熱交換器（HEX6）では、吸収ヒートポンプ（90）の１次側の冷媒と、利用側回路（20）の２次側冷媒との間で熱交換が行われ、該２次側冷媒は冷却される。冷却された２次側の液冷媒は、第１０配管（103）及び第４開閉弁（SV4）を通って、第２配管（26）を流通する。第２配管（26）を流通する２次側の液冷媒は、重力によって、吸収ヒートポンプ（90）よりも下方に位置している室内ユニット（22）へ流れる。室内ユニット（22）へ流れてきた２次側冷媒は、室内熱交換器（HEX1）で室内空気と熱交換して室内空気を冷却する。室内熱交換器（HEX1）で吸熱して蒸発した２次側冷媒は、第１配管（25）及び第３配管（24）を上昇し、第１１配管（104）を通って、上記蒸発熱交換器（HEX6）へ再び戻る。
【０１０３】
一方、暖房運転時には、第４開閉弁（SV4）が閉鎖されると共に第５開閉弁（SV5）が開放される。そのときの暖房運転は、上記参考例２と同様であるため、その説明は省略する。
【０１０４】
−参考例４の効果−
以上説明したように、この参考例４によっても、上記参考例３と同様に、切換機構である第４開閉弁（SV4）及び第５開閉弁（SV5）を切り換えることによって、室内の冷房と暖房とをそれぞれ行うことができる。さらに、各冷凍機（2,10,90）の１次側の冷媒や吸収溶液と、利用側回路（20）の２次側冷媒との間で直接に熱交換させることで、室内の冷房や暖房をそれぞれ効率よく行うことができる。
【０１０５】
（参考例５）
図５は、本発明に係る冷凍システムの参考例５を示している。この参考例５の冷凍システム（1）では、圧縮式冷凍機（2）及び吸収式冷凍機（10）の各冷熱発生器は、利用側回路（20）に直列に設けられている。
【０１０６】
上記吸収式冷凍機（10）の冷媒は、上記各実施形態と同様に水である。そして、該吸収式冷凍機（10）の冷熱発生器は、蒸発器（13）により構成され、該蒸発器（13）には、第２主熱交換器（HEX2）が設けられている。また、圧縮式冷凍機（2）の冷熱発生器である蒸発器（6）は、第１主熱交換器（HEX5）により構成されている。
【０１０７】
第１主熱交換器（HEX5）の出口と冷媒液ポンプ（30）の吸入口とは、第２配管（26）により接続されている。また、第１配管（25）の一端が冷媒液ポンプ（30）の吐出口に接続される一方、その他端が分岐されて各室内熱交換器（HEX1）の入口に接続されている。第１配管（25）の分岐部分には、室内膨張弁（EV）がそれぞれ設けられている。
【０１０８】
一方、第３配管（24）の一端が分岐して各室内熱交換器（HEX1）の出口に接続される一方、その他端が第２主熱交換器（HEX2）の入口に接続されている。第２主熱交換器（HEX2）の出口と、第１主熱交換器（HEX5）の入口とは、第１２配管（105）により接続されている。
【０１０９】
このようにして、圧縮式冷凍機（2）の第１主熱交換器（HEX5）には、吸収式冷凍機（10）の第２主熱交換器（HEX2）を通過した利用側回路（20）の２次側冷媒が流れるようになっている。
【０１１０】
−冷凍システムの作動−
次に、この参考例５の冷凍システム（1）の作動について説明する。
【０１１１】
まず、吸収式冷凍機（10）の第２主熱交換器（HEX2）では、吸収式冷凍機（10）の１次側の冷媒と、利用側回路（20）の２次側冷媒との間で熱交換が行われ、該２次側冷媒は冷却される。このとき、吸収式冷凍機（10）の冷媒が水であるため、その蒸発温度は、０℃を下回れない。そこで、利用側回路（20）の２次側冷媒は、まず、吸収式冷凍機（10）の第２主熱交換器（HEX2）で０℃以上の所定温度に冷却される。
【０１１２】
その後、第２主熱交換器（HEX2）で冷却された２次側冷媒は、冷媒液ポンプ（30）の駆動によって、第１２配管（105）を通り、第１主熱交換器（HEX5）へ流れる。該第１主熱交換器（HEX5）において、上記２次側冷媒は、さらに低温に冷却される。
【０１１３】
第１主熱交換器（HEX5）で冷却された２次側冷媒は、第２配管（26）を介して冷媒液ポンプ（30）に吸い込まれる。吸い込まれた２次側冷媒は、第１配管（25）に吐出され、膨張弁（EV）で減圧されて室内ユニット（22）へ送られる。そして、２次側冷媒は、室内熱交換器（HEX1）で室内空気との間で熱交換して、室内空気を冷却する。室内熱交換器（HEX1）で吸熱して蒸発した２次側冷媒は、第３配管（24）を介して第２主熱交換器（HEX2）へ再び送られる。こうして、２次側冷媒は、冷媒液ポンプ（30）の駆動により利用側回路（20）で循環する。
【０１１４】
−参考例５の効果−
したがって、この参考例５によると、圧縮式冷凍機（2）の第１主熱交換器（HEX5）と、吸収式冷凍機（10）の第２主熱交換器（HEX2）とを、利用側回路（20）に直列に設けるようにしたので、該利用側回路（20）の冷媒を各熱交換器（HEX5,HEX2）へ分配させるための機構が不要となるため、利用側回路（20）の構成を簡単なものとすることができる。
【０１１５】
さらに、吸収式冷凍機（10）の冷媒が水である場合に、利用側回路（20）の冷媒を、まず、吸収式冷凍機（10）の第２主熱交換器（HEX2）において冷却し、その後に、圧縮式冷凍機（2）の第１主熱交換器（HEX5）においてさらに低温に冷却することで、利用側回路（20）の冷媒を効率よく冷却することができる。
【０１１６】
（実施形態１）
図６は、本発明に係る冷凍システムの実施形態１を示している。この実施形態１の冷凍システム（1）は、上記参考例５と同様に、圧縮式冷凍機（2）と吸収式冷凍機（10）とは利用側回路（20）に直列に設けられているが、その配置が利用側回路（20）の冷媒流れ方向に入れ替わっている。
【０１１７】
すなわち、第２主熱交換器（HEX2）の出口と冷媒液ポンプ（30）の吸入口とは、第２配管（26）により接続されている。また、冷媒液ポンプ（30）と各室内熱交換器（HEX1）とは、第１配管（25）により接続されている。一方、第３配管（24）の一端が分岐して各室内熱交換器（HEX1）の出口に接続される一方、その他端が第１主熱交換器（HEX5）の入口に接続されている。第１主熱交換器（HEX5）の出口と、第２主熱交換器（HEX2）の入口とは、第１２配管（105）により接続されている。
【０１１８】
このようにして、吸収式冷凍機（10）の第２主熱交換器（HEX2）には、圧縮式冷凍機（2）の第１主熱交換器（HEX5）を通過した利用側回路（20）の２次側冷媒が流れるようになっている。そして、上記吸収式冷凍機（10）の冷媒は、蒸発温度が０℃以下である例えばアンモニアである。また、吸収剤には水が適用されている。
【０１１９】
−冷凍システムの作動−
次に、この実施形態１の冷凍システム（1）の作動について説明する。
【０１２０】
まず、圧縮式冷凍機（2）の第１主熱交換器（HEX5）において、該圧縮式冷凍機（2）の冷媒と、利用側回路（20）の２次側冷媒との間で熱交換が行われ、該２次側冷媒は予め冷却される。冷却された２次側冷媒は、冷媒液ポンプ（30）の駆動によって、第１２配管（105）を通り、吸収式冷凍機（10）の第２主熱交換器（HEX2）へ送られる。
【０１２１】
ところで、吸収式冷凍機（10）では、吸収式冷凍サイクルが行われており、凝縮器（12）で凝縮したアンモニアが蒸発器（13）に供給されて蒸発する。そして、上記第２主熱交換器（HEX2）では、１次側冷媒であるアンモニアと、利用側回路（20）の２次側冷媒との間で熱交換が行われ、該２次側冷媒は冷却される。
【０１２２】
第２主熱交換器（HEX2）でさらに低温に冷却された２次側冷媒は、第２配管（26）を介して冷媒液ポンプ（30）に吸い込まれる。吸い込まれた２次側冷媒は、第１配管（25）に吐出され、膨張弁（EV）を介して室内ユニット（22）へ送られる。そして、２次側冷媒は、室内熱交換器（HEX1）で室内空気との間で熱交換して、室内空気を冷却する。室内熱交換器（HEX1）で吸熱して蒸発した２次側冷媒は、第３配管（24）を介して第１主熱交換器（HEX5）へ再び送られる。こうして、２次側冷媒は、冷媒液ポンプ（30）の駆動により利用側回路（20）で循環する。
【０１２３】
−実施形態１の効果−
したがって、この実施形態１によると、吸収式冷凍機（10）の冷媒の蒸発温度が０℃以下であって比較低温であるため、利用側回路（20）の冷媒は、まず、圧縮式冷凍機（2）の第１主熱交換器（HEX5）で予め冷却し、その後に、吸収式冷凍機（10）の第２主熱交換器（HEX2）でさらに低温に冷却することができる。そして、このとき、圧縮式冷凍機（2）の冷媒の蒸発圧力が比較的大きくなるため、システム全体の効率を向上させることができる。
【０１２４】
（参考例６）
図７は、本発明に係る冷凍システムの参考例６を示している。この参考例６の冷凍システム（1）は、上記実施形態１と同様に、圧縮式冷凍機（2）と吸収式冷凍機（10）とは利用側回路（20）に直列に設けられている。そして、この冷凍システム（1）は、室内の暖房を行うように構成されている。
【０１２５】
上記吸収式冷凍機（10）は、上記参考例２と同様に、温熱発生器である暖房用加熱器（9）を備えている。暖房用加熱器（9）には、第２主熱交換器（HEX2）が設けられている。一方、上記圧縮式冷凍機（2）の温熱発生器である凝縮器は、第１主熱交換器（HEX5）を構成している。
【０１２６】
上記第１主熱交換器（HEX5）と第２主熱交換器（HEX2）とは、上記実施形態１と同様に、利用側回路（20）に直列に設けられている。つまり、第１主熱交換器（HEX5）の出口と第２主熱交換器（HEX2）の入口とは、第１２配管（105）により接続されている。第２主熱交換器（HEX2）の出口と、各室内熱交換器（HEX1）の入口とは、第２配管（26）により接続されている。各室内熱交換器（HEX1）の出口と、冷媒液ポンプ（30）の吸入口とは、第１配管（25）により接続されている。また、冷媒液ポンプ（30）の吐出口と、第１主熱交換器（HEX5）の入口とは、第３配管（24）により接続されている。
【０１２７】
このようにして、吸収式冷凍機（10）の第２主熱交換器（HEX2）には、圧縮式冷凍機（2）の第１主熱交換器（HEX5）を通過した利用側回路（20）の冷媒が流れるようになっている。
【０１２８】
−参考例６の効果−
以上説明したように、この参考例６によると、温熱発生器である第１主熱交換器（HEX5）と第２主熱交換器（HEX2）とを利用側回路（20）に直列に設けるようにしたので、該利用側回路（20）の冷媒を第１主熱交換器（HEX5）と第２主熱交換器（HEX2）とに分配させるための機構が不要となるため、利用側回路（20）の構成を簡単にすることができる。
【０１２９】
そのことに加えて、利用側回路（20）の冷媒を、まず、圧縮式冷凍機（2）の第１主熱交換器（HEX5）で予め加熱し、その後に、吸収式冷凍機（10）の第２主熱交換器（HEX2）でさらに高温に加熱することができる。そして、このとき、圧縮式冷凍機（2）の冷媒の凝縮圧力が比較的小さくなるため、システム全体の効率を向上させることができる。
【０１３０】
（実施形態２）
図８は、本発明に係る冷凍システムの実施形態２を示している。圧縮式冷凍機（2）と吸収式冷凍機（10）とは、上記参考例１と同様に、利用側回路（20）に並列に設けられている。そして、この実施形態２では、利用側回路（20）で冷媒を強制循環させるためのポンプは、吸入したガス冷媒を吐出する冷媒ガスポンプ（30）に構成されている。
【０１３１】
すなわち、圧縮式冷凍機（2）の冷熱発生器である蒸発器（6）は、第１主熱交換器（HEX5）に構成され、吸収式冷凍機（10）の冷熱発生器である蒸発器（13）には、第２主熱交換器（HEX2）が設けられている。
【０１３２】
そして、第１主熱交換器（HEX5）の出口と、各室内熱交換器（HEX1）の入口とは、第２配管（26）により接続されている。各室内熱交換器（HEX1）の出口と、冷媒ガスポンプ（30）の吸入口とは、第１配管（25）により接続されている。また、冷媒ガスポンプ（30）の吐出口と、第１主熱交換器（HEX5）の入口とは、第３配管（24）により接続されている。さらに、第２主熱交換器（HEX2）の出口には、第４配管（27）の一端が接続される一方、その他端が第２配管（26）に合流して接続されている。また、第２主熱交換器（HEX2）の入口には、第５配管（28）の一端が接続される一方、その他端が第３配管（24）に分岐して接続されている。
【０１３３】
−冷凍システムの作動−
次に、この実施形態２の冷凍システム（1）の作動について説明する。
【０１３４】
第１主熱交換器（HEX5）では、圧縮式冷凍機（2）の冷媒と利用側回路（20）の２次側冷媒との間で熱交換が行われて該２次側冷媒は冷却される。冷却された２次側冷媒は、冷媒ガスポンプ（30）の駆動によって、第２配管（26）を通って室内熱交換器（HEX1）へ送られる。
【０１３５】
一方、第２主熱交換器（HEX2）では、吸収式冷凍機（10）の冷媒と利用側回路（20）の２次側冷媒との間で熱交換が行われて該２次側冷媒は冷却される。冷却された２次側冷媒は、冷媒ガスポンプ（30）の駆動により、第４配管（27）及び第２配管（26）を通って室内熱交換器（HEX1）へ流れる。
【０１３６】
室内熱交換器（HEX1）では、２次側冷媒と室内空気との間で熱交換が行われ、室内空気が冷却される。室内熱交換器（HEX1）で吸熱して蒸発した２次側冷媒は、第１配管（25）を介して冷媒ガスポンプ（30）に吸い込まれ、第３配管（24）に吐出される。第３配管（24）を流通する２次側冷媒の一部は、第５配管（28）で分流して第２主熱交換器（HEX2）へ送られる一方、上記２次側冷媒の他の一部は、そのまま第３配管（24）を流れて第１主熱交換器（HEX5）へ送られる。このようにして、２次側冷媒は、冷媒ガスポンプ（30）の駆動により利用側回路（20）で循環する。
【０１３７】
−実施形態２の効果−
したがって、この実施形態２によると、第１主熱交換器（HEX5）及び第２主熱交換器（HEX2）のそれぞれにおいて、２次側冷媒の圧力が高くなるため、上記各冷凍機（2,10）の１次側冷媒が蒸発し易くなる。その結果、システム全体の冷凍サイクルの効率を、冷媒液ポンプを設ける場合に比べて向上させることができる。特に、吸収式冷凍機（10）の冷媒圧力を低下させることで該吸収式冷凍機（10）を小さくし、システム全体の小型化を図ることができる。
【０１３８】
（参考例７）
図９及び図１０は、本発明の参考例７を示している。この参考例７では、上記参考例１におけるポンプ（30）を、次に述べるポンプ回路（30）により構成するようにしている。
【０１３９】
−ポンプ回路の構成−
まず、図１０を参照して、ポンプ回路（30）の構成について説明する。ポンプ回路（30）は、第１メインタンク（T1）、第２メインタンク（T2）、サブタンク（ST）、及びバッファタンク（BT）を備えている。また、ポンプ回路（30）には、高圧部である加熱熱交換器（HEX3）と、低圧部である冷却熱交換器（HEX4）とがそれぞれ設けられている。さらに、ポンプ回路（30）には、該ポンプ回路（30）を駆動するための駆動用回路（50）が接続されている。
【０１４０】
上記加熱熱交換器（HEX3）は、第１メインタンク（T1）、第２メインタンク（T2）及びサブタンク（ST）のそれぞれに対し、タンク加圧電磁弁（SVH1,SVH2,SVH3）を介して配管接続されている。一方、上記冷却熱交換器（HEX4）は、第１メインタンク（T1）、第２メインタンク（T2）及びサブタンク（ST）のそれぞれに対し、タンク減圧電磁弁（SVL1,SVL2,SVL3）を介して配管接続される。これらタンク加圧電磁弁（SVH1,SVH2,SVH3）、及びタンク減圧電磁弁（SVL1,SVL2,SVL3）は、切換手段（46）を構成している。切換手段（46）は、各タンク（T1,T2,ST）を加熱熱交換器（HEX3）に連通する状態と、冷却熱交換器（HEX4）に連通する状態とに切り換えるためのものである。
【０１４１】
そして、上記ポンプ回路（30）は、一方のタンク（T1,T2）を加熱熱交換器（HEX3）に連通させて加圧することにより該タンク（T1,T2）内から液冷媒を押し出す一方、他方のタンク（T1,T2）を冷却熱交換器（HEX4）に連通させて減圧することにより該タンク（T1,T2）内に液冷媒を吸引することで、２次側冷媒を利用側回路（20）で所定方向に循環させるように構成されている。
【０１４２】
すなわち、上記第１メインタンク（T1）及び第２メインタンク（T2）は、液冷媒を溜めるためのものであって、略円筒形の密閉容器状に形成されている。第１，第２メインタンク（T1,T2）は、第１，第２給排管（41,42）と、流出側液配管（37）と、流入側液配管（38）とを介して、上記利用側回路（20）に接続されている。
【０１４３】
上記流出側液配管（37）は、その一端が第１配管（25）に接続される一方、他端側で２つの分岐管（37a,37b）に分岐されている。流出側液配管（37）の第１分岐管（37a）には、第１流出側逆止弁（CVH1）が設けられている。この第１流出側逆止弁（CVH1）は、第１メインタンク（T1）から流出する方向の冷媒流通だけを許容する。流出側液配管（37）の第２分岐管（37b）には、第２流出側逆止弁（CVH2）が設けられている。この第２流出側逆止弁（CVH2）は、第２メインタンク（T2）から流出する方向の冷媒流通だけを許容する。
【０１４４】
上記流入側液配管（38）は、その一端が第２配管（26）に接続される一方、他端側で２つの分岐管（38a,38b）に分岐されている。流入側液配管（38）の第１分岐管（38a）には、第１流入側逆止弁（CVL1）が設けられている。この第１流入側逆止弁（CVL1）は、第１メインタンク（T1）へ流入する方向の冷媒流通だけを許容する。流入側液配管（38）の第２分岐管（38b）には、第２流入側逆止弁（CVL2）が設けられている。この第２流入側逆止弁（CVL2）は、第２メインタンク（T2）へ流入する方向の冷媒流通だけを許容する。
【０１４５】
上記第１給排管（41）は、その一端が第１メインタンク（T1）の内部に延びている。この第１給排管（41）の一端は、下向きにほぼ９０°曲がった形状とされ、第１メインタンク（T1）の底面付近に開口している。第１給排管（41）の他端は、流出側液配管（37）の第１分岐管（37a）と、流入側液配管（38）の第１分岐管（38a）との連結部に接続されている。
【０１４６】
上記第２給排管（42）は、その一端が第２メインタンク（T2）の内部に延びている。この第２給排管（42）の一端は、下向きにほぼ９０°曲がった形状とされ、第２メインタンク（T2）の底面付近に開口している。第２給排管（42）の他端は、流出側液配管（37）の第２分岐管（37b）と、流入側液配管（38）の第２分岐管（38b）との連結部に接続されている。
【０１４７】
上記サブタンク（ST）は、メインタンク（T1,T2）よりも小型の密閉容器状に形成されている。このサブタンク（ST）は、上記加熱熱交換器（HEX3）に液冷媒を供給するためのものである。サブタンク（ST）は、加熱熱交換器（HEX3）よりも上方に配置されている。
【０１４８】
サブタンク（ST）の上端部には、液吸引管（35）の一端が接続されている。この液吸引管（35）の他端は、上記流出側液配管（37）における第１，第２流出側逆止弁（CVH1,CVH2）の下流側に接続されている。また、液吸引管（35）には、第３流入側逆止弁（CVL3）が設けられている。第３流入側逆止弁（CVL3）は、サブタンク（ST）へ流入する方向の冷媒流通だけを許容する。
【０１４９】
サブタンク（ST）の下端部には、液送出管（34）の一端が接続されている。この液送出管（34）の他端は、加熱熱交換器（HEX3）における２次側の下端に接続されている。また、液送出管（34）には、サブタンク（ST）から加熱熱交換器（HEX3）へ向かって順に、第３流出側逆止弁（CVH3）とバッファタンク（BT）とが設けられている。この第３流出側逆止弁（CVH3）は、サブタンク（ST）から流出する方向の冷媒流通だけを許容する。
【０１５０】
上記バッファタンク（BT）は、サブタンク（ST）から加熱熱交換器（HEX3）へ送られる液冷媒を一時的に溜めるためのものである。このバッファタンク（BT）は、サブタンク（ST）よりも下方かつ加熱熱交換器（HEX3）よりも上方に配置されている。また、バッファタンク（BT）は、均圧管（39）を介して、加熱熱交換器（HEX3）における２次側の上端と連通されている。従って、バッファタンク（BT）に溜められた液冷媒は、位置ヘッド差によって加熱熱交換器（HEX3）の２次側に送り込まれる。
【０１５１】
上記加熱熱交換器（HEX3）は、液冷媒を加熱して高圧のガス冷媒を生成するためのものであって、いわゆるプレート型熱交換器により構成されている。この加熱熱交換器（HEX3）は、１次側を流れる駆動用回路（50）の冷媒と、２次側を流れるポンプ回路（30）の冷媒とを熱交換させる。加熱熱交換器（HEX3）の２次側は、送り込まれた冷媒が蒸発することによって高圧に維持される。加熱熱交換器（HEX3）で生じたガス冷媒は、両メインタンク（T1,T2）やサブタンク（ST）を加圧するために利用される。
【０１５２】
加熱熱交換器（HEX3）における２次側の上端には、ガス供給管（31）の一端が接続されている。ガス供給管（31）は、他端側で３本の分岐管（31a,31b,31c）に分岐され、これら分岐管（31a,31b,31c）が第１，第２メインタンク（T1,T2）やサブタンク（ST）に接続されている。そして、第１メインタンク（T1）の上端部に接続する第１分岐管（31a）には第１タンク加圧電磁弁（SVH1）が、第２メインタンク（T2）の上端部に接続する第２分岐管（31b）には第２タンク加圧電磁弁（SVH2）が、サブタンク（ST）の上端部に接続する第３分岐管（31c）には第３タンク加圧電磁弁（SVH3）が、それぞれ設けられている。
【０１５３】
上記冷却熱交換器（HEX4）は、ガス冷媒を冷却して低圧の液冷媒を生成するためのものであって、いわゆるプレート型熱交換器により構成されている。この冷却熱交換器（HEX4）は、１次側を流れる駆動用回路（50）の冷媒と、２次側を流れるポンプ回路（30）の冷媒とを熱交換させる。冷却熱交換器（HEX4）の２次側は、送り込まれたガス冷媒が凝縮することによって低圧に維持される。この冷却熱交換器（HEX4）の２次側へ両メインタンク（T1,T2）やサブタンク（ST）のガス冷媒を吸引し、メインタンク（T1,T2）やサブタンク（ST）を減圧する。
【０１５４】
冷却熱交換器（HEX4）における２次側の上端には、ガス回収管（32）の一端が接続されている。ガス回収管（32）は、他端側で３本の分岐管（32a,32b,32c）に分岐され、これら分岐管（32a,32b,32c）が第１，第２メインタンク（T1,T2）やサブタンク（ST）に接続されている。そして、第１メインタンク（T1）の上端部に接続する分岐管（32a）には第１タンク減圧電磁弁（SVL1）が、第２メインタンク（T2）の上端部に接続する分岐管（32b）には第２タンク減圧電磁弁（SVL2）が、サブタンク（ST）の上端部に接続する分岐管（32c）には第３タンク減圧電磁弁（SVL3）が、それぞれ設けられている。
【０１５５】
冷却熱交換器（HEX4）における２次側の下端には、液戻し管（33）の一端が接続されている。液戻し管（33）は、他端側で２本の分岐管（33a,33b）に分岐されている。また、冷却熱交換器（HEX4）は、第１，第２メインタンク（T1,T2）よりも上方に配置されている。冷却熱交換器（HEX4）で凝縮した冷媒は、液戻し管（33）を通じて第１，第２メインタンク（T1,T2）に戻される。
【０１５６】
上記液戻し管（33）の第１分岐管（33a）は、ガス供給管（31）の第１分岐管（31a）における第１タンク加圧電磁弁（SVH1）と第１メインタンク（T1）の間に接続されている。また、この第１分岐管（33a）には、第１液戻し逆止弁（CVR1）が設けられている。第１液戻し逆止弁（CVR1）は、冷却熱交換器（HEX4）から第１メインタンク（T1）に向かう冷媒の流通だけを許容する。
【０１５７】
上記液戻し管（33）の第２分岐管（33b）は、ガス供給管（31）の第２分岐管（31b）における第２タンク加圧電磁弁（SVH2）と第２メインタンク（T2）の間に接続されている。また、この第２分岐管（33b）には、第２液戻し逆止弁（CVR2）が設けられている。第２液戻し逆止弁（CVR2）は、冷却熱交換器（HEX4）から第２メインタンク（T2）に向かう冷媒の流通だけを許容する。
【０１５８】
ここで、上記流出側液配管（37）の第１，第２流出側逆止弁（CVH1,CVH2）と、流入側液配管（38）の第１，第２流入側逆止弁（CVL1,CVL2）と、液送出管（34）の第３流出側逆止弁（CVH3）と、液吸引管（35）の第３流入側逆止弁（CVL3）と、液戻し管（33）の第１，第２液戻し逆止弁（CVR1,CVR2）とは、メインタンク（T1,T2）やサブタンク（ST）へ出入りする液冷媒の流れを制御するための流通制御手段（47）を構成している。
【０１５９】
上記駆動用回路（50）は、駆動用圧縮機（51）、加熱熱交換器（HEX3）、駆動用膨張弁（52）、冷却熱交換器（HEX4）を順に接続して構成された閉回路である。具体的に、駆動用圧縮機（51）の吐出側は、加熱熱交換器（HEX3）における１次側の上端と接続されている。加熱熱交換器（HEX3）における１次側の下端は、駆動用膨張弁（52）の一端と接続されている。駆動用膨張弁（52）の他端は、冷却熱交換器（HEX4）における１次側の下端と接続されている。冷却熱交換器（HEX4）における１次側の上端は、駆動用圧縮機（51）の吸入側と接続されている。
【０１６０】
上記駆動用回路（50）では、駆動用冷媒が循環し、加熱熱交換器（HEX3）を凝縮器とし且つ冷却熱交換器（HEX4）を蒸発器として蒸気圧縮式冷凍サイクルが行われる。この駆動用回路（50）の冷凍サイクル動作によって、加熱熱交換器（HEX3）の２次側が高圧に維持され、冷却熱交換器（HEX4）の２次側が低圧に維持される。つまり、駆動用回路（50）での冷凍サイクル動作により生成した冷熱及び温熱は、ポンプ回路（30）が２次側冷媒に循環駆動力を付与する動作を行うために利用される。
【０１６１】
−ポンプ回路の作動−
上記駆動用圧縮機（51）を運転すると、駆動用回路（50）では、図１０に二点鎖線で示すように駆動用冷媒が循環し、冷凍サイクルが行われる。駆動用圧縮機（51）から吐出された駆動用冷媒は、加熱熱交換器（HEX3）の１次側に導入される。加熱熱交換器（HEX3）では、１次側の駆動用冷媒が２次側の冷媒へ放熱して凝縮する。凝縮した駆動用冷媒は、駆動用膨張弁（52）で減圧された後に、冷却熱交換器（HEX4）の１次側へ送り込まれる。冷却熱交換器（HEX4）では、１次側の駆動用冷媒が２次側の冷媒から吸熱して蒸発する。蒸発した駆動用冷媒は、駆動用圧縮機（51）に吸入される。駆動用圧縮機（51）は、吸入した駆動用冷媒を圧縮して再び吐出する。
【０１６２】
上記駆動用回路（50）の冷凍サイクル動作により、加熱熱交換器（HEX3）の２次側が高圧に維持され、冷却熱交換器（HEX4）の２次側が低圧に維持される。タンク加圧電磁弁（SVH1〜SVH3）及びタンク減圧電磁弁（SVL1〜SVL3）を所定のタイミングで開閉することにより、ポンプ回路（30）では、第１，第２メインタンク（T1,T2）やサブタンク（ST）を加熱熱交換器（HEX3）と連通させて加圧する加圧動作と、第１，第２メインタンク（T1,T2）やサブタンク（ST）を冷却熱交換器（HEX4）と連通させて減圧する減圧動作とが、切り換えて行われる。
【０１６３】
まず、第１，第２メインタンク（T1,T2）を加圧又は減圧する動作について説明する。ここでは、第１タンク加圧電磁弁（SVH1）及び第２タンク減圧電磁弁（SVL2）が開放され、第１タンク減圧電磁弁（SVL1）及び第２タンク加圧電磁弁（SVH2）が閉鎖された状態にあるところから説明を始める。
【０１６４】
この状態において、第１メインタンク（T1）は、加熱熱交換器（HEX3）の２次側と連通する。第１メインタンク（T1）には、加熱熱交換器（HEX3）の高圧のガス冷媒がガス供給管（31,31a）を通じて供給され、これによって第１メインタンク（T1）が加圧される。第１メインタンク（T1）を加圧すると、溜められていた液冷媒が第１メインタンク（T1）から押し出される。この時には、第１流出側逆止弁（CVH1）が連通状態となり、第１流入側逆止弁（CVL1）が遮断状態となっている。従って、第１メインタンク（T1）から押し出された液冷媒は、図１０に実線の矢印で示すように、第１給排管（41）及び流出側液配管（37a,37）を流れて利用側回路（20）に送り出される。
【０１６５】
一方、第２メインタンク（T2）は、冷却熱交換器（HEX4）の２次側と連通する。第２メインタンク（T2）内のガス冷媒は、ガス回収管（32b,32）を通じて冷却熱交換器（HEX4）に吸引され、これによって第２メインタンク（T2）が減圧される。第２メインタンク（T2）を減圧すると、第２メインタンク（T2）に利用側回路（20）から２次側冷媒が回収される。つまり、この時には、第２流出側逆止弁（CVH2）が遮断状態となり、第２流入側逆止弁（CVL2）が連通状態となっている。従って、利用側回路（20）の２次側冷媒は、図１０に実線の矢印で示すように、流入側液配管（38,38b）及び第２給排管（42）を流れて第２メインタンク（T2）へ流入する。
【０１６６】
このような動作を所定時間行い、第１メインタンク（T1）が空になると、ポンプ回路（30）の電磁弁（SVH1,SVH2,…）を切換える。つまり、第１タンク加圧電磁弁（SVH1）及び第２タンク減圧電磁弁（SVL2）を閉鎖し、第１タンク減圧電磁弁（SVL1）及び第２タンク加圧電磁弁（SVH2）を開放する。
【０１６７】
この状態では、第１メインタンク（T1）が減圧されると共に、第１流入側逆止弁（CVL1）が連通状態となり、第１流出側逆止弁（CVH1）が遮断状態となる。そして、第１メインタンク（T1）には、流入側液配管（38,38a）及び第１給排管（41）を通じて、利用側回路（20）の２次側冷媒が流入する。また、第２メインタンク（T2）が加圧されると共に、第２流入側逆止弁（CVL2）が遮断状態となり、第２流出側逆止弁（CVH2）が連通状態となる。そして、第２メインタンク（T2）から押し出された冷媒は、第２給排管（42）及び流出側液配管（37b,37）を通じて、利用側回路（20）に送り込まれる。
【０１６８】
以上説明したように、ポンプ回路（30）では、両メインタンク（T1,T2）の加減圧が交互に行われ、メインタンク（T1,T2）からの液冷媒の押し出しと、メインタンク（T1,T2）への液冷媒の回収とが行われる。この動作により、ポンプ回路（30）は、利用側回路（20）の２次側冷媒に循環駆動力を付与する。
【０１６９】
次に、サブタンク（ST）を加減圧する動作について説明する。ここでは、第３タンク加圧電磁弁（SVH3）が開放され、第３タンク減圧電磁弁（SVL3）が閉鎖された状態にあるところから説明を始める。
【０１７０】
この状態において、サブタンク（ST）は、加熱熱交換器（HEX3）の２次側と連通する。サブタンク（ST）には、加熱熱交換器（HEX3）の高圧のガス冷媒がガス供給管（31,31c）を通じて供給され、これによってサブタンク（ST）が加圧される。サブタンク（ST）を加圧すると、溜められていた液冷媒がサブタンク（ST）から押し出される。この時には、第３流出側逆止弁（CVH3）が連通状態となり、第３流入側逆止弁（CVL3）が遮断状態となっている。従って、サブタンク（ST）から押し出された液冷媒は、図１０に破線の矢印で示すように、液送出管（34）を流れ、バッファタンク（BT）を通って加熱熱交換器（HEX3）へ送り込まれる。
【０１７１】
その後、サブタンク（ST）が空になると、今度は第３タンク加圧電磁弁（SVH3）を閉鎖し、第３タンク減圧電磁弁（SVL3）を開放する。この状態において、サブタンク（ST）は、冷却熱交換器（HEX4）の２次側と連通する。サブタンク（ST）内のガス冷媒は、ガス回収管（32c,32）を通じて冷却熱交換器（HEX4）に吸引され、これによってサブタンク（ST）が減圧される。サブタンク（ST）を減圧すると、流出側液配管（37）を流れる液冷媒の一部がサブタンク（ST）に回収される。つまり、この時には、第３流入側逆止弁（CVL3）が連通状態となり、第３流出側逆止弁（CVH3）が遮断状態となっている。従って、第１又は第２メインタンク（T1,T2）から押し出されて流出側液配管（37）を流れる液冷媒の一部が、液吸引管（35）を通ってサブタンク（ST）へ流入する。
【０１７２】
以上のようにサブタンク（ST）を加減圧し、加熱熱交換器（HEX3）に対して液冷媒を供給する。供給された液冷媒は、加熱熱交換器（HEX3）を高圧に維持するために利用される。また、サブタンク（ST）を減圧する状態では、バッファタンク（BT）に溜まった液冷媒が加熱熱交換器（HEX3）へ流入する。従って、加熱熱交換器（HEX3）の２次側には、継続的に液冷媒が送り込まれる。
【０１７３】
上記冷却熱交換器（HEX4）の２次側で凝縮した冷媒は、液戻し管（33）を通じて第１又は第２メインタンク（T1,T2）に戻される。具体的に、第２メインタンク（T2）を減圧する状態では、第１液戻し逆止弁（CVR1）が遮断状態となり、第２液戻し逆止弁（CVR2）が連通状態となる。そして、冷却熱交換器（HEX4）で凝縮した冷媒は、液戻し管（33）及びその第２分岐管（33b）を流れ、上記ガス供給管（31）の第２分岐管（31b）を通って第２メインタンク（T2）へ流入する。逆に、第１メインタンク（T1）を減圧する状態では、第２液戻し逆止弁（CVR2）が遮断状態となり、第１液戻し逆止弁（CVR1）が連通状態となる。そして、冷却熱交換器（HEX4）で凝縮した冷媒は、液戻し管（33）及びその第１分岐管（33a）を流れ、上記ガス供給管（31）の第１分岐管（31a）を通って第１メインタンク（T1）へ流入する。
【０１７４】
−冷凍システムの作動−
上記ポンプ回路（30）が駆動することによって、２次側冷媒は、利用側回路（20）で循環する。すなわち、第１主熱交換器（HEX5）で冷却された２次側冷媒は、第２配管（26）を通ってポンプ回路（30）のタンク（T1,T2）へ吸引される。また、第２主熱交換器（HEX2）で冷却された２次側冷媒は、第４配管（27）及び第２配管（26）を通ってポンプ回路（30）のタンク（T1,T2）へ吸引される。このことにより、ポンプ回路（30）のタンク（T1,T2）に溜められていた液冷媒が押し出されて第１配管（25）へ供給される。
【０１７５】
第１配管（25）を流れる２次側冷媒は、室内熱交換器（HEX1）で蒸発した後、第３配管（24）を通って第１主熱交換器（HEX5）及び第２主熱交換器（HEX2）へ送られて再び冷却される。
【０１７６】
−参考例７の効果−
以上説明したように、この参考例７によると、利用側回路（20）のポンプを、比較的寿命の長い上記ポンプ回路（30）により構成したので、冷凍システムの信頼性を向上させることができる。
【０１７７】
（参考例８）
図１１は、本発明の参考例８を示している。この参考例８の冷凍システム（1）は、上記参考例７において、駆動回路（50）を設ける代わりに、ポンプ回路（30）の加熱熱交換器（HEX3）に、圧縮式冷凍機（2）又は吸収式冷凍機（10）の温熱発生器からの放出熱を供給することで、ポンプ回路（30）を駆動させるようにしたものである。
【０１７８】
すなわち、上記温熱発生器は、圧縮式冷凍機（2）の凝縮器（4）と、吸収式冷凍機（10）の凝縮器（12）により構成されている。そして、凝縮器（4）と、ポンプ回路（30）の加熱熱交換器（HEX3）とは、第１水配管（65）により接続されている。第１水配管（65）には、第１閉鎖弁（67）が設けられている。第１水配管（65）には、凝縮器（4）を通過する圧縮式冷凍機（2）の冷媒を凝縮させるための冷却水が流通するようになっている。
【０１７９】
また、凝縮器（12）には、第２水配管（66）の一端が接続され、その他端が上記第１水配管（65）に合流して接続されている。第２水配管（66）には、第２閉鎖弁（68）が設けられている。第２配管（66）には、凝縮器（12）を通過する吸収式冷凍機（10）の冷媒を冷却するための冷却水が流通するようになっている。
【０１８０】
こうして、上記凝縮器（4,12）を通過して加熱された冷却水を加熱熱交換器（HEX3）へ供給するようにしている。また、図示は省略するが、加熱熱交換器（HEX3）を通過した冷却水を、冷却塔へ送って冷却した後に、再び各凝縮器（4,12）へ戻すようにしている。
【０１８１】
−冷凍システムの作動−
まず、凝縮器（4）で昇温した冷却水は、第１閉鎖弁（67）を開放することで、第１水配管（65）を通って加熱熱交換器（HEX3）へ送られる。一方、凝縮器（12）で昇温した冷却水は、第２閉鎖弁（68）を開放することで、第２水配管（66）を通って加熱熱交換器（HEX3）へ送られる。加熱熱交換器（HEX3）では、供給された高温の冷却水により、ポンプ回路（30）の液冷媒が加熱されて高圧のガス冷媒が生成される。そして、加熱熱交換器（HEX3）で熱が奪われた冷却水は、外部の冷却塔へ送られて冷却された後、各凝縮器（4,12）へ戻る。
【０１８２】
このことにより、ポンプ回路（30）が駆動し、第１主熱交換器（HEX5）及び第２主熱交換器（HEX2）で冷却された２次側冷媒は、利用側回路（20）で循環する。
【０１８３】
−参考例８の効果−
したがって、この参考例８によると、加熱熱交換器（HEX3）では、圧縮式冷凍機（2）及び吸収式冷凍機（10）の各凝縮器（4,12）の放出熱によって、液冷媒を加熱して高圧のガス冷媒を生成することが可能となる。その結果、２次側冷媒を利用側回路（20）で強制循環させるためのエネルギーを、別途、発電機等から供給する必要がないため、システム全体の省エネルギー化を図ることができる。
【０１８４】
（参考例９）
図１２は、本発明に係る冷凍システムの参考例９を示している。この参考例９では、上記参考例１において、吸収式冷凍機（10）は、発電機（15）の排熱を熱源として駆動するように構成されている。
【０１８５】
上記発電機（15）は、該発電機（15）を駆動するための内燃機関である例えばガスエンジン（16）を備えている。そして、このガスエンジン（16）により燃料ガスを燃焼し、電気エネルギーを発生させるようになっている。
【０１８６】
また、上記吸収式冷凍機（10）の再生器（11）は、上記ガスエンジン（16）の排気ガスが直接に供給されるように構成されている。再生器（11）は、発電機（15）からの排気ガスと、再生器（11）の吸収溶液との間で熱交換を行うための排ガス熱交換器（HEX7）を備えている。
【０１８７】
すなわち、ガスエンジン（16）の排気口と、排ガス熱交換器（HEX7）とは、排気ガスが流通する排気管（18）により接続されている。そして、排ガス熱交換器（HEX7）において、ガスエンジン（16）の排気ガスと、再生器（11）の吸収溶液との間で直接に熱交換を行い、該吸収溶液を加熱するようにしている。また、排ガス熱交換器（HEX7）を通過して熱が奪われた排気ガスは、吸収式冷凍機（10）の外部へ排気されるようになっている。
【０１８８】
こうして、吸収式冷凍機（10）では、排気ガスを温熱源として１次側の冷媒が１次側の冷媒回路（8）で循環することにより、蒸発器（13）で冷熱が発生する。蒸発器（13）で発生した冷熱は、第２主熱交換器（HEX2）で利用側回路（20）の２次側冷媒を冷却する。この２次側冷媒は、冷媒液ポンプ（30）の駆動により室内熱交換器（HEX1）へ送られる。
【０１８９】
−参考例９の効果−
したがって、この参考例９によると、発電機（15）のガスエンジン（16）の排熱を、再生器（11）へ供給するようにしたので、発電機（15）の排熱を有効に利用して吸収式冷凍機（10）を駆動することができる。そして、この吸収式冷凍機（10）による冷却効果が不足するような場合には、その不足分を圧縮式冷凍機（2）によって補うことができる。
【０１９０】
（参考例１０）
図１３は、本発明に係る冷凍システムの参考例１０を示している。この参考例１０では、上記参考例９において、発電機（15）が、ガスタービン発電機（15）であって、利用側回路（20）の利用側ユニットのうちの１つは、ガスタービン発電機（15）へ吸入される空気を冷却するように構成されている。
【０１９１】
すなわち、発電機（15）は、ガスタービン（16）を備えている。ガスタービン（16）は、圧縮機（71）と、燃焼器（72）と、タービン部（73）とを備えている。燃焼器（72）の入口には、燃料供給管（75）の一端が接続されている。圧縮機（71）の出口には、空気供給管（76）の一端が接続されており、その他端は、上記燃料供給管（75）に合流接続されている。また、燃焼器（72）の出口とタービン部（73）の入口とは、ガス通路（77）により接続されている。タービン部（73）の出口と、吸収式冷凍機（10）の排ガス熱交換器（HEX7）の入口とは、排気管（18）により接続されている。
【０１９２】
そして、上記各実施形態では、複数の利用側ユニットを室内ユニット（22）に構成していたが、この実施形態では、複数の利用側ユニットの少なくとも１つを、タービン吸気冷却器（80）に構成している。タービン吸気冷却器（80）は、ガスタービン（16）へ供給する空気と、利用側回路（20）の２次側冷媒との間で熱交換を行うための熱交換器（HEX10）を備えている。
【０１９３】
具体的に、上記熱交換器（HEX10）の入口には、第１配管（25）の分岐している一端が接続される一方、熱交換器（HEX10）の出口には、第３配管（24）の分岐している一端が接続されている。さらに、熱交換器（HEX10）には、外部から取り入れられた空気が流通する第１空気通路（81）の一端が接続されている。また、タービン吸気冷却器（HEX10）とガスタービン（16）の圧縮機（71）とは、第２空気通路（82）により接続されている。
【０１９４】
こうして、外部の空気は、第１空気通路（81）を介してタービン冷却器（80）の熱交換器（HEX10）へ導入される。導入された空気は、利用側回路（20）の２次側冷媒との間で熱交換が行われて冷却される。熱交換器（HEX10）で冷却された空気は、第２空気通路（82）を通って、ガスタービン（16）の圧縮機（71）へ供給される。吸入空気は、圧縮機（71）で圧縮され、空気供給管（76）を介して燃焼器（72）へ供給される。
【０１９５】
一方、燃焼器（72）では、燃料供給管（75）を介して供給される燃焼用ガスと、空気供給管（76）を介して供給される冷却吸入空気とが混合されて燃焼する。この燃焼ガスは、ガス通路（77）を通ってタービン部（73）へ送られる。タービン部（73）では、燃焼ガスが膨張して仕事をし、燃焼後の排気ガスが排気管（18）を介して、吸収式冷凍機（10）の再生器（11）へ供給される。このことにより、吸収式冷凍機（10）は、上記排気ガスを熱源として駆動し、利用側回路（20）において、室内ユニット（22）と共にタービン吸気冷却器（80）が作動する。
【０１９６】
−参考例１０の効果−
したがって、この参考例１０によると、吸収式冷凍機（10）から生じる冷熱の一部がガスタービン（16）へ吸入される空気を冷却するため、室外の気温が比較的高いときであっても、吸入空気の温度上昇を低減して、発電機（15）の出力や発電効率の低下を抑制することができる。
【０１９７】
尚、上記各実施形態では、吸収式冷凍機（10）を、１つの再生器（11）を備えるいわゆる１重効用のものとしたが、低温再生器、高温再生器、高温溶液熱交換器及び低温溶液熱交換器を備えた２重効用の吸収式冷凍機としてもよい。
【０１９８】
【発明の効果】
以上説明したように、請求項１に係る発明によると、圧縮式冷凍機と、吸収式冷凍機と、圧縮式冷凍機及び吸収式冷凍機で発生する冷熱又は温熱を、相変化する冷媒により利用側ユニットへ搬送する利用側回路とを備え、利用側回路には、圧縮式冷凍機及び吸収式冷凍機の各冷熱発生器、又は圧縮式冷凍機及び吸収式冷凍機の各温熱発生器をそれぞれ直接に接続し、圧縮式冷凍機及び吸収式冷凍機の各冷熱発生器を、利用側回路に直列に設けて、吸収式冷凍機の冷媒の蒸発温度は、０℃以下であり、吸収式冷凍機の冷熱発生器には、圧縮式冷凍機の冷熱発生器を通過した利用側回路の冷媒が流れるように構成することにより、圧縮式冷凍機及び吸収式冷凍機で発生した冷熱又は温熱は、各冷熱発生器又は温熱発生器において１回の熱交換により利用側回路の冷媒へ伝えられるため、熱交換に伴う熱損失を抑制して、該利用側回路の冷媒を効率よく冷却又は加熱することができる。さらに、圧縮式冷凍機の冷媒の蒸発圧力が比較的大きくなるため、システム全体の効率を向上させることができる。
【０１９９】
請求項２に係る発明によると、圧縮式冷凍機と、吸収式冷凍機と、圧縮式冷凍機及び吸収式冷凍機で発生する冷熱又は温熱を、相変化する冷媒により利用側ユニットへ搬送する利用側回路とを備え、利用側回路には、圧縮式冷凍機の冷熱発生器又は温熱発生器と、吸収式冷凍機の冷熱発生器及び温熱発生器とをそれぞれ直接に接続すると共に、冷房時に冷媒が各冷熱発生器に流れ、暖房時に冷媒が各温熱発生器に流れるように冷媒通路を切り換える切換機構を設けて、圧縮式冷凍機及び吸収式冷凍機の各冷熱発生器を、利用側回路に直列に設けて、吸収式冷凍機の冷媒の蒸発温度は、０℃以下であり、吸収式冷凍機の冷熱発生器には、圧縮式冷凍機の冷熱発生器を通過した利用側回路の冷媒が流れるように構成することにより、切換機構による冷媒通路の切り換えによって、冷房時に、各冷熱発生器において各冷凍機の冷媒と利用側回路の冷媒との間で直接に熱交換させる一方、暖房時に、各温熱発生器において各冷凍機の冷媒や吸収溶液と利用側回路の冷媒との間で直接に熱交換させることができる。さらに、圧縮式冷凍機の冷媒の蒸発圧力が比較的大きくなるため、システム全体の効率を向上させることができる。
【０２００】
請求項３に係る発明では、蒸気圧縮式冷凍サイクルを行う圧縮式冷凍機と、吸収式冷凍サイクルを行う吸収式冷凍機と、圧縮式冷凍機及び吸収式冷凍機で発生する冷熱又は温熱を、相変化する冷媒により利用側ユニットへ搬送する利用側回路とを備え、利用側回路には、圧縮式冷凍機及び吸収式冷凍機の各冷熱発生器、又は圧縮式冷凍機及び吸収式冷凍機の各温熱発生器がそれぞれ直接に接続され、利用側回路は、利用側回路で冷媒を強制循環させるためのポンプを備え、ポンプが、吸入したガス冷媒を吐出する冷媒ガスポンプであることにより、また、請求項４に係る発明では、利用側回路には、圧縮式冷凍機の冷熱発生器又は温熱発生器と、吸収式冷凍機の冷熱発生器及び温熱発生器とがそれぞれ直接に接続されると共に、冷房時に冷媒が各冷熱発生器に流れ、暖房時に冷媒が各温熱発生器に流れるように冷媒通路を切り換える切換機構が設けられ、利用側回路は、利用側回路で冷媒を強制循環させるためのポンプを備え、ポンプが、吸入したガス冷媒を吐出する冷媒ガスポンプあることにより、冷媒ガスポンプが冷熱発生器に接続されている場合には、冷熱発生器の２次側の冷媒圧力が高くなるため、冷熱発生器の１次側で冷媒が蒸発し易くなる。一方、冷媒ガスポンプが温熱発生器に接続されている場合には、温熱発生器の２次側の冷媒圧力が低くなるため、温熱発生器の１次側で冷媒が凝縮し易くなる。その結果、冷凍システムの冷凍サイクルの効率を、液ポンプを設ける場合に比べて向上させることができる。特に、吸収式冷凍機の冷媒圧力を低下させることで該吸収式冷凍機を小さくし、システム全体の小型化を図ることができる。
【０２０１】
請求項５に係る発明によると、圧縮式冷凍機の冷熱発生器が、圧縮式冷凍機の蒸発器であり、吸収式冷凍機の冷熱発生器が、吸収式冷凍機の蒸発器であることにより、利用側回路の冷媒を、圧縮式冷凍機の蒸発器と、吸収式冷凍機の蒸発器との双方より冷却することが可能となる。
【０２０２】
請求項６に係る発明では、圧縮式冷凍機及び吸収式冷凍機の各冷熱発生器を、利用側回路に直列に設ける。また、請求項７に係る発明では、圧縮式冷凍機及び吸収式冷凍機の各温熱発生器を、利用側回路に直列に設ける。これら請求項６及び７に係る発明によると、利用側回路における冷媒を各冷熱発生器又は各温熱発生器へ分配するための機構が不要となるため、該利用側回路を簡単な構成とすることができる。
【図面の簡単な説明】
【図１】  参考例１の冷凍システムの冷媒回路を示す回路図である。
【図２】  参考例２の冷凍システムの冷媒回路を示す回路図である。
【図３】  参考例３の冷凍システムの冷媒回路を示す回路図である。
【図４】  参考例４の冷凍システムの冷媒回路を示す回路図である。
【図５】  参考例５の冷凍システムの冷媒回路を示す回路図である。
【図６】  実施形態１の冷凍システムの冷媒回路を示す回路図である。
【図７】  参考例６の冷凍システムの冷媒回路を示す回路図である。
【図８】  実施形態２の冷凍システムの冷媒回路を示す回路図である。
【図９】  参考例７の冷凍システムの冷媒回路を示す回路図である。
【図１０】  参考例７のポンプ回路を示す回路図である。
【図１１】  参考例８の冷凍システムの冷媒回路を示す回路図である。
【図１２】  参考例９の冷凍システムの冷媒回路を示す回路図である。
【図１３】  参考例１０の冷凍システムの冷媒回路を示す回路図である。
【符号の説明】
（1）   冷凍システム
（2）   圧縮式冷凍機
（4）   熱源側熱交換器（温熱発生器）
（6）   蒸発器（冷熱発生器）
（9）   暖房用加熱器（温熱発生器、熱交換器）
（10）  吸収式冷凍機
（12）  凝縮器（温熱発生器）
（13）  蒸発器（冷熱発生器）
（15）  発電機
（20）  利用側回路
（22）  室内ユニット（利用側ユニット）
（30）  ポンプ回路（ポンプ）
（92）  凝縮器
（94）  吸収器
（T1）  第１メインタンク
（T2）  第２メインタンク
（HEX3）  加熱熱交換器（高圧部）
（HEX4）  冷却熱交換器（低圧部）
（SV4）  第４開閉弁（切換機構）
（SV5）  第５開閉弁（切換機構）
【図１】
0004273727.tif 000002
【図２】
0004273727.tif 000003
【図３】
0004273727.tif 000004
【図４】
0004273727.tif 000005
【図５】
0004273727.tif 000006
【図６】
0004273727.tif 000007
【図７】
0004273727.tif 000008
【図８】
0004273727.tif 000009
【図９】
0004273727.tif 000010
【図１０】
0004273727.tif 000011
【図１１】
0004273727.tif 000012
【図１２】
0004273727.tif 000013
【図１３】
0004273727.tif 000014